(57)【要約】本発明は、一般集団の発癌リスクを評価するための新規の方法を提供する。これらの方法は、癌のリスクが増大または減少した個体を同定するために、2つ以上の遺伝子の特定の対立遺伝子を組み合わせて利用する。女性の乳癌のためのリスク評価を例示する。加えて、さらに解析を正確にするために、年齢および人種などの個人歴測定基準を使用する。このような方法を使用する事により、発癌リスクが増大した患者の亜集団に癌スクリーニングの保健医療費用を再割当することが可能である。また、癌の予防的治療のための候補を同定することができる。【特許請求の範囲】
【請求項１】
女性被験者が乳癌を発症するリスクを評価するための方法であって、該被検者からの試料において、プロヒビチン（PRO）、プロゲステロン受容体（PROGINS）、ステロイド17,20リアーゼ（CYP17）、カテコールo-メチルトランスフェラーゼ（COMT）、上皮細胞成長因子受容体2（HER2）、5α-レダクターゼ（SRD5α）、グルタチオンS-トランスフェラーゼP1（GSTP1）、フェノールスルホトランスフェラーゼ（SULF1A1）、チトクロムp450-1B1（CYP1B1）、腫瘍抑制因子p53（p53 72）、メチレンテトラヒドロ葉酸レダクターゼ（MTHFR）、ビタミンD受容体Apa I多型（VDR／ApaI）、ビタミンD受容体TaqαI多型（VDR／TaqI）、ビタミンD受容体Fok I多型（VDR／FokI）、チトクロムP450 1A1（CYP1A1）、ヒト・アルドステロン・シンターゼまたはステロイド18-ヒドロキシラーゼ（CYP11B2）、サイクリンD1（CYC D1）、ホモ・サピエンスDNA修復タンパク質（XRCC 1）、ヒト・チトクロムP450IIE1（エタノールで誘導可能）（CYP2E1）、およびミクロソーム・エポキシド加水分解酵素（EPHX）からなる群より選択される2つ以上の遺伝子の対立遺伝子プロフィールを決定することを含む方法。
【請求項２】
請求項1記載の方法であって、以下からなる群より選択される遺伝子対が検査される方法：
2005532780.tif 000130
2005532780.tif 000131
【請求項３】
少なくとも第3の遺伝子の対立遺伝子プロフィールを決定することをさらに含む、請求項1記載の方法。
【請求項４】
少なくとも第4の遺伝子の対立遺伝子プロフィールを決定することをさらに含む、請求項1記載の方法。
【請求項５】
被検者の個人歴の1つまたは複数の側面を評価することをさらに含む、請求項1記載の方法。
【請求項６】
1つまたは複数の側面が、年齢、民族性、妊娠歴、月経歴、経口避妊薬使用、ボディマス指数、アルコール消費歴、喫煙歴、運動歴、食餌、親戚の癌診断時における彼らの年齢を含む、乳癌またはその他の癌の家族歴、および乳癌、胸部生検、またはDCIS、LCIS、もしくは異常な過形成の個人歴からなる群より選択される、請求項1記載の方法。
【請求項７】
1つまたは複数の側面が年齢を含む、請求項6記載の方法。
【請求項８】
被検者が54歳未満である、請求項7記載の方法。
【請求項９】
対立遺伝子プロフィールの決定が試料からの核酸の増幅によって達成される、請求項1記載の方法。
【請求項１０】
増幅がPCRを含む、請求項9記載の方法。
【請求項１１】
増幅のためのプライマーがチップに置かれる、請求項9記載の方法。
【請求項１２】
増幅のためのプライマーが遺伝子の対立遺伝子に特異的である、請求項9記載の方法。
【請求項１３】
増幅された核酸を切断することをさらに含む、請求項9記載の方法。
【請求項１４】
試料が、口腔組織または血液に由来する、請求項9記載の方法。
【請求項１５】
被検者を試験する癌診断のタイミングおよび／または頻度の決定を行うことをさらに含む、請求項1記載の方法。
【請求項１６】
被検者の予防的癌治療法のタイミングおよび／または頻度の決定を行うことをさらに含む、請求項1記載の方法。
【請求項１７】
請求項1記載の方法であって、検査される対立遺伝子は、Proの塩基729（GB# U49725）のCまたはTのいずれか、PROGINSの塩基956（GB# Z49816）におけるAlu挿入のプラスまたはマイナスのいずれか、CYP17の塩基1805（GB# M19489）のTまたはCのいずれか、COMTの位置1947（GB# Z26491）のGまたはAのいずれか、HER2の塩基77,829（GB# AC040933）のGまたはAのいずれか、SRD5αの塩基2333（GB# L03843）における18または38個の挿入のいずれか、GSTP1の塩基2628（GB# M24485）のGまたはAのいずれか、SULF1A1の塩基4742（GB# U54701）のGまたはAのいずれか、CYP1B1の塩基1294（GB# U56438）のGまたはCのいずれか、p53の塩基640（GB# AF136270）のGまたはCのいずれか、MTHFRの塩基1024（GB# AH007464）のCまたはTのいずれか、VDR／ApaIの塩基46,083（GB# AC004466）のCまたはTのいずれか、VDR／TaqIの塩基46,360〜46,363（GB# AC004466）の多型、VDR／FokIの塩基12,019〜12,024（GB# AC004466）の多型、CYP1A1の塩基133（GB# D12525）のCまたはTのいずれか、CYP11B2の塩基335〜338（GB# D13752）のHae III部位（GGCC）のCまたはTのいずれか、CYC D1の塩基8429（GB# AF511593）のエキソン4におけるコドン330のGまたはAのいずれか、XRCC 1の塩基28152（GB# L34079）のコドン399、エキソン10のGまたはAのいずれか、CYP2E1の塩基10454〜10459におけるイントロン6 Dra Iの多型、およびEPHXのエキソン3（GB# AF253417）におけるTyr／His変化、である方法。
【請求項１８】
プロヒビチン（Pro）、プロゲステロン受容体（PROGINS）、ステロイド17,20リアーゼ（CYP17）、カテコールo-メチルトランスフェラーゼ（COMT）、上皮細胞成長因子受容体2（HER2）、5α-レダクターゼ（SRD5α）、グルタチオンS-トランスフェラーゼP1（GSTP1）、フェノールスルホトランスフェラーゼ（SULF1A1）、チトクロムp450-1B1（CYP1B1）、腫瘍抑制因子p53（p53 72）、メチレンテトラヒドロ葉酸レダクターゼ（MTHFR）、ビタミンD受容体Apa I多型（VDR／ApaI）、ビタミンD受容体TaqαI多型（VDR／TaqI）、ビタミンD受容体Fok I多型（VDR／FokI）、チトクロムP450 1A1（CYP1A1）、ヒト・アルドステロン・シンターゼまたはステロイド18-ヒドロキシラーゼ（CYP11B2）、サイクリンD1（CYC D1）、ホモ・サピエンスDNA修復タンパク質（XRCC 1）、ヒト・チトクロムP450IIE1（エタノールで誘導可能）（CYP2E1）、およびミクロソーム・エポキシド加水分解酵素（EPHX）のために遺伝子に対応する核酸配列を含む核酸マイクロアレイ。
【請求項１９】
核酸配列が、遺伝子の各々の少なくとも2つの異なる対立遺伝子の配列を含む、請求項17記載の核酸マイクロアレイ。
【請求項２０】
女性被験者における乳癌についての日常的な診断試験の必要性を決定するための方法であって、該被検者からの試料において、以下からなる群より選択される2つ以上の遺伝子の対立遺伝子プロフィールを決定することを含む方法：プロヒビチン（Pro）、プロゲステロン受容体（PROGINS）、ステロイド17,20リアーゼ（CYP17）、カテコールo-メチルトランスフェラーゼ（COMT）、上皮細胞成長因子受容体2（HER2）、5α-レダクターゼ（SRD5α）、グルタチオンS-トランスフェラーゼP1（GSTP1）、フェノールスルホトランスフェラーゼ（SULF1A1）、チトクロムp450-1B1（CYP1B1）、腫瘍抑制因子p53（p53 72）、メチレンテトラヒドロ葉酸レダクターゼ（MTHFR）、ビタミンD受容体Apa I多型（VDR／ApaI）、ビタミンD受容体TaqαI多型（VDR／TaqI）、ビタミンD受容体Fok I多型（VDR／FokI）、チトクロムP450 1A1（CYP1A1）、ヒト・アルドステロン・シンターゼまたはステロイド18-ヒドロキシラーゼ（CYP11B2）、サイクリンD1（CYC D1）、ホモ・サピエンスDNA修復タンパク質（XRCC 1）、ヒト・チトクロムP450IIE1（エタノールで誘導可能）（CYP2E1）、およびミクロソーム・エポキシド加水分解酵素（EPHX）。
【請求項２１】
女性被験者における予防的抗乳癌治療の必要性を決定するための方法であって、該被検者からの試料において、以下からなる群より選択される2つ以上の遺伝子の対立遺伝子プロフィールを決定することを含む方法：プロヒビチン（Pro）、プロゲステロン受容体（PROGINS）、ステロイド17,20リアーゼ（CYP17）、カテコールo-メチルトランスフェラーゼ（COMT）、上皮細胞成長因子受容体2（HER2）、5α-レダクターゼ（SRD5α）、グルタチオンS-トランスフェラーゼP1（GSTP1）、フェノールスルホトランスフェラーゼ（SULF1A1）、チトクロムp450-1B1（CYP1B1）、腫瘍抑制因子p53（p53 72）、メチレンテトラヒドロ葉酸レダクターゼ（MTHFR）、ビタミンD受容体Apa I多型（VDR／ApaI）、ビタミンD受容体TaqαI多型（VDR／TaqI）、ビタミンD受容体Fok I多型（VDR／FokI）、チトクロムP450 1A1（CYP1A1）、ヒト・アルドステロン・シンターゼまたはステロイド18-ヒドロキシラーゼ（CYP11B2）、サイクリンD1（CYC D1）、ホモ・サピエンスDNA修復タンパク質（XRCC 1）、ヒト・チトクロムP450IIE1（エタノールで誘導可能）（CYP2E1）、およびミクロソーム・エポキシド加水分解酵素（EPHX）。
【発明の詳細な説明】
【背景技術】
【０００１】
発明の背景
政府は、米国陸軍乳癌研究プログラムからの助成金番号BC00042、ならびに科学および技術の進歩のためのオクラホマ・センター（Oklahoma Center for the Advancement of Science and technology：OCAST）からの助成金番号AR992-007および助成金AR01.1-050に従って、本発明の権利を所有する。本出願は、2001年9月19日に出願の米国特許仮出願第60/323,510号の優先権の利益を主張し、この全内容は、無条件に参照として本明細書に組み入れられる。
【０００２】
1. 技術分野
本発明は、一般に腫瘍学および遺伝学の分野に関する。より詳細には、どの対立遺伝子の組み合わせが、特定の癌の低度、中度、および高度なリスクに関連するかについて決定するための、遺伝的対立遺伝子の多変量解析の使用に関する。これらのリスク対立遺伝子は、患者試料をスクリーニングするために組み合わせて使用したときに、患者に最も有効な診断前癌リスク管理に対して彼らを指導する手段を提供する。これにより、徐々に増加する生涯における癌を発病するリスクの評価のための方法が提供される。
【０００３】
2. 関連技術の説明
癌患者については、早期の診断および治療が、より良い結果の鍵となる。2001年には、米国において1,250,000を超える人々が癌と診断されるものと予想される。悲しいことに、2001年には、550,000人以上が癌で死亡すると思われる。かなりの程度で、癌患者における生死間の相違は、疾患が最初に発見・治療されたときの癌の段階によって決定される。その腫瘍が比較的小さく、限られているときに発見された患者のものについては、結果は通常非常に良い。逆に、患者の癌が、その起源の器官から遠い部位まで体の全体にわたって蔓延していた場合、患者の予後は、治療を問わず非常に悪い。問題は、小さく、限られた腫瘍が、通常症状を引き起こさないということである。したがって、これらの初期癌を検出するために、疾患の症状のない人々をスクリーニングまたは検査することが必要である。このような明らかに健常な人々では、癌は実際に非常に珍しい。したがって、少数の癌を検出するためには、多数の人々をスクリーニングすることが必要である。その結果、癌検診試験は、保健医療経費ユニットあたりの癌検出の数に関して、管理が比較的高価である。
【０００４】
癌検診における関連した課題は、スクリーニング試験が完全に正確でないという現状に由来する。全ての試験は、いくらかの割合で、偽陽性がある（癌が存在しないときに、癌があることを示す）または偽陰性（本当に腫瘍が存在するときに、癌が存在しないことを示す）のいずれかの結果を与える。偽陽性の癌検診試験の結果では、癌が実際に存在することを確認するために、患者が頻繁に生検を含む追跡調査を受けることが要求されるので、このような結果は、不必要な保健医療費用を生み出す。それぞれの偽陽性結果に対するこのような追跡調査の費用は、概して本来の癌検診試験の費用の数倍である。加えて、患者の不快感、不安、および浪費された生産力に由来する偽陽性スクリーニング試験結果に付随した無形のまたは間接的な費用がいる。偽陰性の結果も、付随した費用を必要とする。明らかなことであるが、偽陰性結果では、治療を遅らせることによって患者をより高い癌死亡リスクにさらすこととなる。この効果に対処するためには、患者が癌を繰り返しスクリーニングする割合を増やすことが合理的かもしれない。しかし、これにより、さらなる偽陽性結果によるスクリーニングの直接の費用および間接の費用が加算される。実際は、癌検診試験を提供するべきか否かの決定は、費用便益分析に基づいて、早期の発見および治療の利益を、大部分の疾患のない個体群に対してスクリーニング試験を施す費用および偽陽性結果に付随する費用と比較検討して決定する。
【０００５】
関連したもう1つの課題は、癌のための化学防御薬の使用に関する。基本的には、化学防御剤は、患者が癌を発症することを阻止するために投与される薬物である。一部の化学防御薬が有効かもしれないが、このような薬物は、付随した費用および有害な副作用の可能性を有するので（Reddy & Chow, 2000）、本薬物が全ての人のために適しているというわけではない。これらの有害副作用のいくつかは、生命の脅威となるであろう。したがって、化学防御薬を投与するべきかどうかの決定も、また、費用便益分析に基づく。中心となる問題は、発癌リスクの減少の利益が、化学防御的な治療の費用および付随するリスクを上回るかどうかということである。
【０００６】
現在、特定の癌検診試験を患者に提供すべきかどうかを決定する場合に、個体の年齢は最も重要な因子である。実際のところ、癌は、若者には珍しい疾患であり、高齢者ではかなりありふれた病気である。癌がその平均余命および生産力に対して最も大きな負の影響を有し得る時である生涯の半ばの年の癌をスクリーニングし、予防する際に問題が生じる。生涯の半ばの年において、癌はまだかなりまれである。したがって、癌検診および予防の費用は、検出され、または予防される癌の数と比較してまだ非常に高い可能性がある。いつスクリーニングを開始するべきかの決定は、個人歴または家族歴の測定によっても影響されるであろう。残念なことに、このような意思決定を支持する適切な情報ツールは、大部分の癌にはまだ利用できない。
【０００７】
生涯の半ばにおける癌検診および化学防御の有効性および経済的な効率を増大する一般のストラテジーは、個々の癌リスクを層別化し、リスクの大きい個体群の区分にスクリーニングおよび予防手段の送達を集中させることである。乳癌のリスクを層別化するためのこのような2つのツールは、ゲイル・モデルおよびクラウス・モデル（Costantinoら、1999, McTiernanら、2001）と呼ばれる。ゲイル・モデルは、国立衛生研究所の国立癌研究所によってウェブサイト上に提供される「乳癌リスク評価ツール（Breast Cancer Risk-Assessment Tool）」ソフトウェアとして使用されている。これらの乳癌モデルは、いずれもこれらの入力の一部として遺伝マーカーを利用していない。さらに、両モデルは、直線方向の工程であるが、クラウス・モデルまたはゲイル・モデルは、いずれも乳癌検診または化学防御的な治療の送達を本当に最適化するために所望の予測力または差別精度がない。
【０００８】
所与の個体が、現在可能なものよりも正確に癌によるリスクを層別化すること、または区別することが可能であれば、これらの問題および課題を範囲内に減少させるか、または除去させることさえできる。実際のリスクの正確な測定を正確に決定することができる場合、最も高リスクの個体群における癌検診および化学防御努力を、その部分に集中することができるであろう。リスクの正確な層別化およびリスクの大きい個体群の努力の集中により、より早期かつより治療可能な段階でより多くの癌を検出するために、よりわずかなスクリーニング試験だけが必要となるであろう。よりわずかなスクリーニング試験になれば、より低い試験管理費用およびよりわずかな偽陽性を生じることを意味する。より多くの癌が検出されれば、患者および保健プロバイダーなどのその他の関係者にとってより多くの純利益を意味する。同様に、化学防御薬は、最も大きな純利益を受ける個体群に対してこれらの薬物の投与を集中させることよって、より大きな正の影響をもたらすであろう。
【発明の開示】
【０００９】
発明の概要
このように、本発明によれば、女性被験者が乳癌を発症するリスクを評価するための方法であって、この被検者からの試料において、プロヒビチン（prohibitin：PRO）、プロゲステロン受容体（PROGINS）、ステロイド17,20リアーゼ（CYP17）、カテコールo-メチルトランスフェラーゼ（COMT）、上皮細胞成長因子受容体2（HER2）、5α-レダクターゼ（SRD5α）、グルタチオンS-トランスフェラーゼP1（GSTP1）、フェノールスルホトランスフェラーゼ（SULF1A1）、チトクロムp450-1B1（CYP1B1）、腫瘍抑制因子p53（p53 72）、メチレンテトラヒドロ葉酸レダクターゼ（MTHFR）、ビタミンD受容体Apa I多型（VDR／ApaI）、ビタミンD受容体TaqαI多型（VDR／TaqI）、ビタミンD受容体Fok I多型（VDR／FokI）、チトクロムP450 1A1（CYP1A1）、ヒト・アルドステロン・シンターゼまたはステロイド18-ヒドロキシラーゼ（CYP11B2）、サイクリンD1（CYC D1）、ホモ・サピエンスDNA修復タンパク質（XRCC 1）、ヒト・チトクロムP450IIE1（エタノールで誘導可能）（CYP2E1）、およびミクロソーム・エポキシド加水分解酵素（EPHX 2）からなる群より選択される2つ以上の遺伝子の対立遺伝子プロフィールを決定することを含む方法が提供される。
【００１０】
さらに特定の態様において、以下からなる群より選択される遺伝子対が検査される：
2005532780.tif 000002
2005532780.tif 000003
【００１１】
本方法は、少なくとも第3のまたは第4の遺伝子の対立遺伝子プロフィールを決定することをさらに含んでいてもよい。特に、前述の各々の2つの遺伝子組み合せを、残りの18の単一遺伝子の一つまたは二つと組み合わせてもよい。
【００１２】
本方法は、年齢、民族性、妊娠歴、月経歴、経口避妊薬使用、ボディマス指数、アルコール消費歴、喫煙歴、運動歴、食餌、親戚の癌診断時における彼らの年齢を含む、乳癌またはその他の癌の家族歴、および乳癌、胸部生検、またはDCIS、LCIS、もしくは異常な過形成の個人歴などの被検者の病歴の1つまたは複数の側面を評価することをさらに含んでもよい。
【００１３】
特定の態様において、被検者は、年齢によって、特に年齢54歳未満で層別化される。平行した態様において、被検者は、年齢54歳以上によって層別化される。
【００１４】
本方法は、たとえばPCRを使用して、試料からの核酸の増幅によって対立遺伝子プロフィールを決定する工程を含んでもよい。増幅のためのプライマーは、チップに置かれていてもよい。このようなプライマーは、上記遺伝子の対立遺伝子に特異的であってもよい。本方法は、増幅された核酸を切断することをさらに含んでいてもよい。試料は、口腔組織または血液に由来していてもよい。本方法は、被検者に対する癌診断の試験のタイミングおよび／または頻度の決定を行うことをさらに含んでいてもよい。本方法は、被検者に対する予防的癌治療法のタイミングおよび／または頻度の決定を行うことをさらに含んでいてもよい。
【００１５】
検査される特定の対立遺伝子は、Proの塩基729（GB# U49725）のCまたはTのいずれか、PROGINSの塩基956（GB# Z49816）におけるAlu挿入のプラスまたはマイナスのいずれか、CYP17の塩基1805（GB# M19489）のTまたはCのいずれか、COMTの位置1947（GB# Z26491）のGまたはAのいずれか、HER2の塩基77,829（GB# AC040933）のGまたはAのいずれか、SRD5αの塩基2333（GB# L03843）における18または38個の挿入のいずれか、GSTP1の塩基2628（GB# M24485）のGまたはAのいずれか、SULF1A1の塩基4742（GB# U54701）のGまたはAのいずれか、CYP1B1の塩基1294（GB# U56438）のGまたはCのいずれか、p53の塩基640（GB# AF136270）のGまたはCのいずれか、MTHFRの塩基1024（GB# AH007464）のCまたはTのいずれか、VDR／ApaIの塩基46,083（GB# AC004466）のCまたはTのいずれか、VDR／TaqIの塩基46,360〜46,363（GB# AC004466）の多型、VDR／FokIの塩基12,019〜12,024（GB# AC004466）の多型、CYP1A1の塩基133（GB# D12525）のCまたはTのいずれか、CYP11B2の塩基335〜338（GB# D13752）のHae III部位（GGCC）のCまたはTのいずれか、CYC D1の塩基8429（GB# AF511593）のエキソン4におけるコドン330のGまたはAのいずれか、XRCC 1の塩基28152（GB# L34079）のコドン399、エキソン10のGまたはAのいずれか、CYP2E1の塩基10454〜10459におけるイントロン6 Dra Iの多型、およびEPHXのエキソン3（GB# AF253417）におけるTyr／His変化であってもよい。
【００１６】
別の態様において、プロヒビチン（Pro）、プロゲステロン受容体（PROGINS）、ステロイド17,20リアーゼ（CYP17）、カテコールo-メチルトランスフェラーゼ（COMT）、上皮細胞成長因子受容体2（HER2）、5α-レダクターゼ（SRD5α）、グルタチオンS-トランスフェラーゼP1（GSTP1）、フェノールスルホトランスフェラーゼ（SULF1A1）、チトクロムp450-1B1（CYP1B1）、腫瘍抑制因子p53（p53 72）、メチレンテトラヒドロ葉酸レダクターゼ（MTHFR）、ビタミンD受容体Apa I多型（VDR／ApaI）、ビタミンD受容体TaqαI多型（VDR／TaqI）、ビタミンD受容体Fok I多型（VDR／FokI）、チトクロムP450 1A1（CYP1A1）、ヒト・アルドステロン・シンターゼまたはステロイド18-ヒドロキシラーゼ（CYP11B2）、サイクリンD1（CYC D1）、ホモ・サピエンスDNA修復タンパク質（XRCC 1）、ヒト・チトクロムP450IIE1（エタノールで誘導可能）（CYP2E1）、およびミクロソーム・エポキシド加水分解酵素（EPHX）に関する遺伝子に対応する核酸配列を含む核酸マイクロアレイが、提供される。核酸配列は、各々の遺伝子について少なくとも2つの異なる対立遺伝子の配列を含んでいてもよい。
【００１７】
さらにもう一つの態様において、女性被験者における乳癌についての日常的な診断試験の必要性を決定するための方法であって、被検者からの試料において、以下からなる群より選択される2つ以上の遺伝子の対立遺伝子プロフィールを決定することを含む方法が提供される：プロヒビチン（Pro）、プロゲステロン受容体（PROGINS）、ステロイド17,20リアーゼ（CYP17）、カテコールo-メチルトランスフェラーゼ（COMT）、上皮細胞成長因子受容体2（HER2）、5α-レダクターゼ（SRD5α）、グルタチオンS-トランスフェラーゼ P1（GSTP1）、フェノールスルホトランスフェラーゼ（SULF1A1）、チトクロムp450-1B1（CYP1B1）、腫瘍抑制因子p53（p53 72）、メチレンテトラヒドロ葉酸レダクターゼ（MTHFR）、ビタミンD受容体Apa I多型（VDR／ApaI）、ビタミンD受容体TaqαI多型（VDR／TaqI）、ビタミンD受容体Fok I多型（VDR／FokI）、チトクロムP450 1A1（CYP1A1）、ヒト・アルドステロン・シンターゼまたはステロイド18-ヒドロキシラーゼ（CYP11B2）、サイクリンD1（CYC D1）、ホモ・サピエンスDNA修復タンパク質（XRCC 1）、ヒト・チトクロムP450IIE1（エタノールで誘導可能）（CYP2E1）、およびミクロソーム・エポキシド加水分解酵素（EPHX）。前述の特定の態様のそれぞれを同様に本明細書において適用されてもよい。
【００１８】
なおさらにもう一つの態様において、女性被験者における予防的抗乳癌治療の必要性を決定するための方法であって、被検者からの試料において、以下からなる群より選択される2つ以上の遺伝子の対立遺伝子プロフィールを決定することを含む方法が提供される：プロヒビチン（Pro）、プロゲステロン受容体（PROGINS）、ステロイド17,20リアーゼ（CYP17）、カテコールo-メチルトランスフェラーゼ（COMT）、上皮細胞成長因子受容体2（HER2）、5α-レダクターゼ（SRD5α）、グルタチオンS-トランスフェラーゼ P1（GSTP1）、フェノールスルホトランスフェラーゼ（SULF1A1）、チトクロムp450-1B1（CYP1B1）、腫瘍抑制因子p53（p53 72）、メチレンテトラヒドロ葉酸レダクターゼ（MTHFR）、ビタミンD受容体Apa I多型（VDR／ApaI）、ビタミンD受容体TaqαI多型（VDR／TaqI）、ビタミンD受容体Fok I多型（VDR／FokI）、チトクロムP450 1A1（CYP1A1）、ヒト・アルドステロン・シンターゼまたはステロイド18-ヒドロキシラーゼ（CYP11B2）、サイクリンD1（CYC D1）、ホモ・サピエンスDNA修復タンパク質（XRCC 1）、ヒト・チトクロムP450IIE1（エタノールで誘導可能）（CYP2E1）、およびミクロソーム・エポキシド加水分解酵素（EPHX）。
【００１９】
例示態様の記載
癌治療のかなりの進歩にもかかわらず、癌死亡率は高いままであり続けている。通常、多くの癌患者の予後不良は、初期段階で、すなわち転移の起こる前に、疾患を同定することができなかったことに由来する。ありふれてはいるが、器官に限局された原発腫瘍の治療は、進行型の、播種性悪性腫瘍のいずれの治療よりもはるかに良好である可能性がある。
【００２０】
癌の早期診断を行うためには、患者がまだ健康であると思われるときに、多くの個体をスクリーニングすることが必要である。しかし、このような試験に伴う費用および偽陽性結果によって引き起こされる不必要な再調査は、法外に高い。このように、一般集団の発癌リスクを評価する良い方法を見出すことが必要である。
【００２１】
I. 本発明
本発明に従って、本発明者らは、一塩基多型（Single Nucleotide Polymorphisms：SNP）の対立遺伝子および乳癌診断のリスクの様々なレベルに関するその他の遺伝的変異の組み合わせを同定した。SNPは、遺伝的変異で最も小さいユニットである。これは、同じ種の個体が、これらのDNA配列に挿入された異なるヌクレオチドを有していてもよいゲノムの位置を表す。これは、我々の遺伝子は、我々人間を作るが、我々のSNPは、我々を独特な個体にするものであるということができよう。対立遺伝子は、遺伝子の特定の変異体である。たとえば、一部の個体では、一部の任意の遺伝子にDNA配列（AAGTCCG）を有していてもよい。その他の個体は、同じ遺伝子の同じ位置に配列（AAGTTCG）を有してもよい。これらのDNA配列は、下線を引いた位置以外は同じであり、一部の人々は、「C」ヌクレオチドを有するが、その他の人々は、「T」ヌクレオチドを有するとことに留意されたい。これがSNPの部位である。一部の人々は、このSNPのC対立遺伝子を保有するが、その他の人々では、T対立遺伝子を保有する。
【００２２】
性染色体の上およびミトコンドリア・ゲノムの上の遺伝子を除いて、体のあらゆる細胞のあらゆる遺伝子に2つの写しがある。子供は、それぞれの親からそれぞれの遺伝子の1つの写しを受け継ぐ。ある人は、上記した架空のSNPの2つのC対立遺伝子を有する可能性がある。この人は、このSNPにおいて遺伝子型C/Cを保有する。または、ある人は、このSNPにおいて遺伝子型T/Tを有する可能性がある。これらの例の両者のように、誰かが、遺伝子の潜在的に異なる部分の2つの同一の写し部分を保有する場合、彼らは、この遺伝子または遺伝子の部分についてホモ接合性であるという。明らかであるが、一部の人々は、遺伝子型C／TまたはT／Cを有するこの遺伝子の2つの異なる対立遺伝子を保有すると考えられ、このSNPはヘテロ接合性と呼ばれる。最後に、一部の遺伝的変異には、複数のヌクレオチド部分を含んでいてもよい。このような変異の一般例、および本発明に関連するものは、遺伝子の1つの対立遺伝子の1つまたは複数のヌクレオチドが、別の対立遺伝子と比較して挿入または欠失されている多型である。
【００２３】
遺伝的変異に加えて、本発明者らは、より乳癌のリスクを推定するために、年齢と遺伝的変異との間の相互作用を検討した。彼らはまた、より適切に乳癌のリスクを推定するために、さらなる変数として、民族の起源および癌の家族歴を検討し始めた。年齢、性、民族の起源、および家族の既往歴は、全て個人歴測定基準の例である。個人歴測定基準のその他の例は、妊娠歴、月経歴、経口避妊薬の使用、ボディマス指数、喫煙およびアルコール消費歴、ならびに運動および食餌を含む。
【００２４】
本明細書に開示された実験において、本発明者らは、20の遺伝的多型の対立遺伝子の検査を報告する。多型は、遺伝子特異的なPCR産物で制限断片長多型（Restriction Fragment Length Polymorphisms：RFLP）または単一長多型を検出するための標準的な技術によってアッセイした。検査した多型の全ては、査読した科学文献にすでに記載されていた。事実、検査した多型は全て、以前に少なくともいくらかの発癌リスクとの関連性を有していた。
【００２５】
本発明者らの仮説は、これらの多型を組み合わせて検査することによるものであり、それぞれの遺伝子多型を別々に検査することによって予測することができるものよりも、発癌リスクを予測するためにより有益な組み合わせが見出されるであろう。事実、現在、乳癌のリスクと異常に関連した特定の多型（SNPおよび挿入／欠失多型）について、対立遺伝子の組み合わせがあることが決定されている。特定の組み合わせの対立遺伝子を保有する個体の乳癌の遺伝的に受け継がれたリスクが非常に高く、これらのリスクが一般の個体群の見かけの乳癌リスクを大部分においてゆがめてしまう。したがって、驚くべきことに、女性の大多数は、乳癌の「平均的」リスクよりも実際に少ないことは言うまでもない（図1）。このような劇的な所見は、これらの実験をデザインしたときには、本発明者らによってさえ予想外であった。これらの結果は、乳癌のスクリーニングおよび化学防御資源を再割当する手段を提供して乳癌のリスクの最も高い、全人口のうちの比較的少数の部分に集中させ、したがって、より低い全保健医療費用での、患者におけるより良好な結果を促進する（図2）。
【００２６】
II. 標的遺伝子および対立遺伝子
表1は、遺伝子のリストを提供し、特異的な遺伝的多型を本研究、および文献引用において検査した。括弧の文字は、この多型の略記号であり、このテキストの残りの部分の全体にわたって使用される。
【００２７】
（表1）SNPリスト
PROGINS, 11q22
多型：多型は、イントロン7の306bpのAlu挿入の存在の有無である。
主要な参照：Dunningら、1999。
SRD5A2, 2p23
多型：多型は、TA反複の形態で3'UTRに現れる。これは、0bp挿入、18bp挿入、または36bp挿入として報告される。
主要な参照：Bharajら、2000。
COMT, 22a11.2
多型：G > A 多型 Val > Met。
主要な参照：Thompsonら、1998。
CYP17, 10q24.3
多型：5'UTRのT > C 多型。
主要な参照：Feigelsonら、2001。
SULT1A1, 16p12.1〜p11.2
多型：コドン213のエキソン7のG > A 多型、Arg > His。
主要な参照：1.Zhengら、2001。  2.Coughtrieら、1999。
CYP1B1, 2p22〜p21
多型：エキソン3におけるA G → C（グアニンからシトシン）転移により、コドン432のバリン→ロイシン置換が生じる。
主要な参照：Zhengら、2000。
GSTP1, 11q13
多型：A G → A（グアニンからアデニン）転移により、コドン105のイソロイシンからバリンへの置換を生じる。
主要な参照：Dunningら、1999。
MTHFR, 1p36.3
多型：ヌクレオチド677のC > T多型。
主要な参照：Sternら、2000。
VDR（Apa I）, 12q12〜q14
多型：3'UTRの多型。
主要な参照：Curranら、1999。
VDR（TaqαI）, 12q12〜q14
多型：3'UTRの多型。
主要な参照：Curranら、1999。
VDR（Fok I）, 12q12〜q14
多型：遺伝子の5'末端における開始コドンの変異体の多型。
主要な参照：Curranら、1999。
CYP1A1, 15q22〜q24
多型：Ile462Valの多型。
主要な参照：Sarmanovaら、2001。
CYP11B2, 8q21
多型：多型は、コード配列の開始前のCYP11B2 344ヌクレオチドのプロモーターに位置する。これは、この位置のシトシンまたはチミジンのいずれかである。
主要な参照：Kupariら、1998。
CycD1, 11q13
多型：エキソン4、コドン330におけるA G → A（グアニンからアデニン）の多型。
主要な参照：Kongら、2001。
XRCC1, 19q13.2
多型：エキソン10のコドン399のG > A 多型。
主要な参照：Sturgisら、1999。
プロヒビチン, 17q21
多型：3'UTR上のC > T 多型。
主要な参照：Jupeら、2001。
p53, 17p13.1
多型：コドン72のG > C 多型；Arg72Pro。
主要な参照：Pierceら、2000。
HER2, 17q21.1
多型：エキソン4の G > A多型、Val > Ile 。
主要な参照：Wangら、2002。
CYP2E1, 10q24.3〜qter
多型：イントロン6。
主要引例：1.Sarmanovaら、2001。  2.Hirvonenら、1993。
EPHX
多型：エキソン3におけるTyr／His変化。
主要引例：1.Hassettら、1994a。  2.Hassettら、1994b。  3.Hassettら、2000。
【００２８】
これらの多型の一部は、おそらく多くの科学的出版物において、深く文献で議論されている。科学文献では、これらの多型の多くが、発癌リスクの変化に相当適度で関係しているであろうこと、または個体群の小さなサブセット内でもリスクに大きな変動を伴うことを示唆するが、これらの多型の多くは、科学文献において論争の的であり、一部の研究では、相対的な発癌リスクに関連した変化を見出していない。形式的に、遺伝的用語において、これらの共通の対立遺伝子は、乳癌表現型に対して低い表現率を個々に有するが、共に生じた場合は、乳癌表現型に対して非常に高い表現率を有する複合した遺伝子型を作成する。本発明者らは、癌素因についての本発明者らの仮説が、その他のもの（Lander & Schork, 1994）によって論議されたとおり、複合した多遺伝子現象のものと整合しており、ならびに一般に癌、および特に乳癌が、一部のファミリーにかたまるという長期の観察と非常に関連する点に注目する。しかし、これらの特定の遺伝子の組み合せは、乳癌またはその他の任意の癌のリスクと関連していることはこれまでに同定されていなかった。
【００２９】
これが発癌リスクまたは感受性と相関する全ての多型の網羅的なリストであることは企図されない点に留意する必要がある。この乳癌決定因子セットによって改善されることが、その他の多型において見出される可能性もあり、確かにその他の癌について、さらなるマーカーおよびマーカー組み合わせがある。これは、単なる初期の評価が完了した10個の遺伝マーカーの最初のセットである。
【００３０】
III. 試料獲得およびプロセシング
A. 標本抽出
個体の遺伝的構成を評価するためには、核酸を含有する試料を得ることが必要である。適切な組織は、ほとんどすべての核酸を含む組織を含むが、最も便利なものは口腔組織または血液を含む。末梢血試料から単離されたDNA検体については、血液を、皮下注射針で静脈穿刺後のヘパリン処理した注射器またはその他の適切な容器に回収した。口腔組織は、有利には、口リンスから得られてもよい。口腔組織または頬側細胞は、口腔リンス、たとえば「Original Mint」フレーバー Scope（商標）嗽薬によって回収してもよい。典型的には、ボランティア参加者が、彼らの口の中で10〜15秒間活発に、10〜15mlの含嗽薬をうがいする。次いで、ボランティアは、円錐状の50mlの遠心管（たとえば、プラグ密封キャップを有するFisherbrandの使い捨て遠心管（カタログ＃ 05-539-6）またはその他の適切な容器に含嗽薬を吐く。
【００３１】
B. 核酸のプロセシング
後述するように、Minneapolis, MNのGentra Systemsによって製造されているPUREGENE（商標） DNA単離キットを使用して、回収した試料からゲノムDNAを単離し、精製した。末梢血試料については、赤血球をキットに提供されたRBC細胞溶解溶液を使用して溶解した。10分間2000×gで遠心後、上清を捨てて、生じた細胞ペレットを細胞溶解溶液に溶解した。可溶化液をRNase Aによって消化して、タンパク質を沈殿させた。最後に、ゲノムDNAをイソプロパノールによって沈殿させ、続いて70%のエタノールで洗浄した。生じた精製ゲノムDNAは、遺伝子特異的なPCRおよびSNP解析の前に水溶液に再懸濁した。
【００３２】
もう1つの態様において、本発明者らは、含嗽薬手順より得られた頬側細胞から、DNA検体の大部分を単離する。以下は、Gentra Systemsキットを使用して頬側細胞からゲノムDNAを単離するために使用される標準処理手順（SOP）である。
【００３３】
ゲノムDNAを個々の頬側細胞試料から単離する。ポリメラーゼ連鎖反応法（PCR）装置を用いて、標的ゲノム配列を増幅する。頬側細胞試料に特異的な遺伝子型を得るために、生じるPCR産物をゲル電気泳動によって、または適切な限定エンドヌクレアーゼによる消化に続く、ゲル電気泳動によって解析する。
【００３４】
本発明に従って、多くの異なる材料を使用する。これらは、DNA抽出に使用される一次溶液（細胞溶解液、Gentra Systems Puregene、およびCat.# D-50K2、1リットル；タンパク質沈殿溶液、Gentra Systems Puregene、Cat.# D-50K3、350 ml；DNA水和溶液、Gentra Systems Puregene、Cat.# D-500H、100ml）ならびにDNA抽出に使用される二次溶液（プロテイナーゼK酵素、Fisher Biotech、Cat.# BP1700、100mg粉末；RNase A酵素、Amresco、Cat.# 0675、500mg粉末；グリコーゲン、Fisher  Biotech、Cat.# BP676、5gm粉末、2-プロパノール（イソプロパノール）、Fisher Scientific、Cat.# A451、1リットル；TE緩衝液 pH 8.0、Amresco、Cat.# E112、100ml；95%のエチルアルコール、AAPER Alcohol & Chemical Co., 5リットル）を含む。
【００３５】
以下に論議するように、例示されたDNA抽出手順は、5つの基本的工程を含む。
【００３６】
予備的手順
頬側試料は、収集の7日以内に処理されなければならない。DNAは、室温で含嗽薬中で安定であるが、プロセシング前に一週間より長く放置した場合、分解されうる。
【００３７】
細胞溶解およびRNase A処理
試料（50mlの頬側細胞試料を含む遠心管）を、大容量（20〜50mlまたは40〜15mlの遠心管を有する）冷却遠心機を使用して、10分間、3000rpm（または2000×g）で遠心分離する。直ちに廃棄瓶に上清を注ぎ、50mlのチューブの底におよそ100μlの残液および頬側細胞ペレットを残す。遠心後に試料があまりに長い間放置された場合、液体を廃棄する前にペレットがゆるむことに注意する。5秒間のボルテックスにより、残りの上清に細胞を再懸濁する（高速でVortex Genieを使用する）。これにより、細胞溶解が非常に容易になる（下記）。50mlのチューブへ1.5mlの細胞可溶化溶液をピペットで移して（ピペットエイドおよび10mlのピペットを使用する）、細胞を再懸濁し、次いで5秒間ボルテックスして、細胞と細胞可溶化溶液との間の接触を最大にする。（必要に応じて、新たな試料を、全てのDNA抽出プロセスを終える前に一週間より長く貯蔵する必要があってもよい。その場合は、細胞可溶化溶液を加える点まで試料を処理し、4℃の低温室で試料を貯蔵することが必要である。試料は、何月も容易に使用可能に保たれる。PCRの実行が容易になされるDNAの調製を妨げることが示されているので、低温室に未処理の試料を貯蔵してはならない。）20μlのピペットマンおよび250μlピペットを使用して、15μlのプロテイナーゼK（10mg/ml）酵素をそれぞれの試料管に添加し、それぞれのチューブの細胞可溶化溶液に直接プロテイナーゼKを放出させる。ピペットマンの一部は、試験管にふれてはならず、ピペットチップのみとする。ピペットチップをそれぞれの試料管で交換する。軽くボルテックスして混合する。55℃で1時間、50mlのチューブにおいて細胞可溶化液をインキュベートする。（酵素は、約55℃付近までは活性化しないので、開始前にインキュベーターがその温度に近いことを確認する。必要に応じて、一晩よりも長くインキュベートすることもできる。） 5μlのRNase A（5mg/ml）酵素を直接それぞれの50mlの試料管の細胞可溶化溶液にピペットする。比較的少量の酵素であるので、これが要求される。全ての新たな試料についてピペットチップを交換する。25回穏やかにチューブを逆にすることによって、試料を混合し、37℃で15分間水浴中でインキュベートする。
【００３８】
タンパク質沈澱
試料は、室温に冷却しなければならない。この点で、必要に応じて試料を1時間おいてもよい。ピペットエイドおよび5mlのピペットを用いて、0.5mlのタンパク質沈殿溶液をそれぞれの50mlの細胞可溶化液の試料管に加える。試料を20秒間ボルテックスして、タンパク質沈殿溶液と細胞可溶化液を一様に混ぜ合わせる。50mlの試料管を氷溶液中に最低15分間、好ましくはより長く置く。これにより、遠心分離するとき（次の工程）に、細胞タンパク質が堅いペレットを形成することを確実にする。4℃に冷却した遠心機を用いて、10分間3000rpm（2000×g）で遠心分離する。沈殿したタンパク質を堅い、白または緑のペレット（頬側試料を回収するためにミント含嗽薬を使用した場合、これは緑色のように見えるであろう）を形成するはずである。
【００３９】
DNA沈澱
遠心が終わるのを待つ間、試料を収容するのに十分な15mlの滅菌遠心管を準備する。5μlのグリコーゲン（10mg/ml）をそれぞれのチューブに添加して、上部の近くに液体ビーズを形成させる。次いで、1.5mlの100% 2-プロパノールをそれぞれのチューブに添加する。50mlのチューブの沈殿したタンパク質ペレットを残して、準備した15mlのチューブに、DNAを含む上清を慎重に注入する。ペレットがゆるんでいる場合、上清をピペットで外に取りだして、できる限り透明な液体を得なければならないかもしれない。試料が十分長く冷却されていないために、ペレットがゆるいかもしれず、またはより長く遠心分離する必要があるかもしれない。透明な緑がかった液体のみが、新たな15mlのチューブに入らなければならない。注ぐ際に、タンパク質ペレットがゆるく壊れないように注意する。50mlのチューブ上のように、新しいチューブ上に正しい試料番号を記録する。50mlのチューブを廃棄する。50回穏やかに逆にすることによって、15mlの試料管を混合する。粗い取扱いは、DNA鎖を剪断する可能性がある。透明な白い鎖の凝集体が共に観察されるはずである。少なくとも5分間室温で保持する。10分間3000rpm（2000×g）で遠心分離する。収率に依存して、DNAは小さな白いペレットとして見えるかもしれず、または見えないかもしれない。（ペレットが他のいずれかの色である場合、試料は混入物を有する。見かけが高収率である場合もまた、混入物を示しているであろう。）液体と共にDNAが移動し、すべり出さないように注意しながら、廃棄瓶に上清を注ぐ。残留する液体を排出するために、清潔な吸収性の紙タオルの上に蓋を開けた15mlの試料管を逆さにする。5分間放置する。チューブ右面後ろを上に逆にして、キャップをはめ込んで戻し、番号をつけた面の向きをそらして保持トレイ（15mlのチューブが出荷されたスチロフォーム・トレイ）にこれらをセットする。それぞれのチューブに1.5mlの70%のエタノールを添加する。チューブを数回逆にしてDNAペレットを洗浄する。3分間3000rpm（2000×g）で遠心分離する。慎重に、エタノールを注ぎ流す。紙タオル上へ試料管を逆にして、水和溶液を使用してDNAを再懸濁する前に、15分よりも短時間空気乾燥させる。DNAを完全に乾燥させた場合、これを再水和する困難性が増大する。
【００４０】
DNA水和
生じるDNAペレットの大きさに依存して、15mlの試料管に50〜200μlの間でDNA水和溶液を添加する。チューブにDNAがないように見える場合は、50μlを使用する。いくらか有するように見えるが、多くない場合は、100μlを使用する。かなりのペレットの際には、150〜200μlを使用することができる。DNAの濃度は、PCR実験の結果に影響を及ぼすので、それほどDNAを希釈したくないことは重要である。DNAの最適濃度は、約100ng/μlである。室温で一晩または65℃で1時間インキュベートすることによって、DNAを水和させる。DNAを分散させるのを補助するために、周期的にチューブを軽くたたくか、またはローテータにおく（DNAを完全に乾燥させた場合、これは助けになるが、通常、これは必要でない）。貯蔵のために、試料を軽く遠心分離し、架橋されたかまたはUV放射された1.5mlの遠心管（すでにオートクレーブで処理されたもの）に移さなければならない。4℃でゲノムDNA試料を貯蔵する。長期間の貯蔵については、-20℃で保存する。
【００４１】
適切な代用手順でも十分であると思われるが、前述のプロトコルに従うことにより、結果の忠実度を保証する。
【００４２】
C. cDNAの産生
本発明の一つの側面において、次の解析のためにcDNA個体群を調製することが有効でありうる。典型的なcDNA産生において、ポリ(A)末端を有するmRNA分子が潜在的な鋳型であり、逆転写酵素で処理した場合には、それぞれmRNAに結合された一本鎖分子の形態のcDNAを産生する（cDNA：mRNAハイブリッド）。次いで、cDNAをDNA Pol I（クレノー断片）などのDNAポリメラーゼによって二本鎖DNAに変換する。クレノー・ポリメラーゼは、新しく合成されたcDNAの分解を避けるために使用される。ポリメラーゼのための鋳型を産生するために、mRNAをcDNA：mRNAハイブリッドから除去しければならない。これは、煮沸によってまたはアルカリ処理によって達成される（核酸の特性についての講義ノートを参照されたい）。生じる一本鎖cDNAは、第2のDNA鎖を産生するための鋳型として使用される。その他のポリメラーゼと同様に、二本鎖プライマー配列が必要であり、逆転写酵素合成の間に、これが偶然にも提供されると、cDNAの5'末端で短い相補的末端を産生する。この末端は、ss cDNA鋳型上に環状に戻り（いわゆる「ヘアピンループ」）、ポリメラーゼが新規なDNA鎖合成を開始して、二重鎖cDNA（ds cDNA）を産生するためのプライマーを提供する。このcDNA合成方法の結果、2つの相補的cDNA鎖がヘアピンループを回して共有結合で結合される。ヘアピンループは、一本鎖特異的なヌクレアーゼ（たとえば、コウジカビ（Aspergillus oryzae）由来のS1ヌクレアーゼ）を使用して除去される。
【００４３】
cDNA合成のためのキット（SMART RACE cDNA 増幅キット；Clontech, Palo Alto, CA）。RT-PCR（商標）と称する、PCR（商標）とcDNAを組み合わせることも可能である。PCR（商標）は、後で更に詳細に論議される。
【００４４】
IV. 検査法
一旦試料が適切に処理されると、配列変異の検出が必要である。おそらく、最も直接的な方法は、実際にゲノムDNAまたはcDNAの配列を決定し、これらを既知の対立遺伝子と比較することである。これは、かなり高価であり、時間のかかるプロセスであり得る。それにもかかわらず、これは、Celera、Curagen、Incyte、Variagenics、およびGenaissanceなどの会社を含むSNPに関心を持つ多くの生物情報学（bioinformatics）会社の先導技術であり、本技術はかなり多量の試料のシーケンシングに有用である。直接的な配列決定方法上のバリエーションは、Affymatrixによって進行中の、Gene Chip（商標）方法である。このようなチップは、後で更に詳細に論議される。
【００４５】
または、DNAシーケンスの変異を検出する、より臨床的に強力で、かつより高価でない方法も開発されている。たとえば、Perkin Elmerは、数年前に、配列変異の検出にTAQman（商標） Assayを適合させた。
【００４６】
Orchid BioSciencesは、どのヌクレオチドがオリゴヌクレオチドプローブのすぐ3'の位置で生じるかを決定するために、標識されたヌクレオチド類似体を有するプライマーの伸長を使用する、SNP-IT（商標）（SNP同定技術（SNP-Identification Technology））と呼ばれる方法を有する。
【００４７】
Sequenomは、彼らのMassARRAY（商標）系で配列変異を検出するために、ハイブリダイゼーション捕獲技術にプラスしてMALDI-TOF（マトリックス支援レーザー脱離／イオン化飛行時間型マススペクトル分析）を使用する。
【００４８】
Promegaは、READIT（商標） SNP／遺伝子タイピング系（米国特許第6,159,693号）を有する。この方法では、DNAまたはRNAプローブを標的核酸配列にハイブリダイズさせる。それぞれの塩基が標的配列に対して相補的であるプローブを、独占権のある酵素の混合物によって脱重合させ、その一方で、質問（interrogation）部位の標的とは異なるプローブは、無傷のままである。本方法は、高感受性かつ適応性のあるSNPスコアリング系を提供するために、ルシフェラーゼ検出と組み合わせてピロホスホリル化化学を使用する。
【００４９】
最後に、Third Wave Technologiesは、彼らが独占権を有する、Invaderプロセスの際に形成される特異的な構造のみを認識して切断するCleavase（登録商標）酵素を使用するInvader OS（商標）方法を有する。Invader OSは、標的の指数関数的増幅ではなく、Invaderプロセスによって発生するシグナルの直線的増幅に依存する。Invader OSアッセイ法は、アッセイ法の一部に一切PCRを利用しない。
【００５０】
最後に、本発明者らが有する方法とほぼ同じ方法でRFLPを検出するために、遺伝子特異的なPCRに続く制限エンドヌクレアーゼ消化およびゲル電気泳動（または、その他の大きさによって分離する技術）を使用する多くの法医学的なDNA試験の研究室および多くの調査研究室がある。ポイントは、発癌リスクの推定において、配列変異（SNP）を検出する方法は重要でないということである。鍵は、検査する遺伝子および多型である。
【００５１】
以下の材料および方法は、本発明に関連し、したがって、一部が詳細に記載されている。
【００５２】
A. チップ
上記のように、変異を検出するための1つの便利なアプローチは、チップに配置された核酸配列の使用を含む。この技術は、Affymetrixなどの会社によって広く利用されており、多くの特許を受けた技術を利用できる。Haciaら（1996）およびShoemakerら（1996）に記載されているものなどのチップに基づいたDNA技術が、特に想定される。これらの技術は、迅速かつ正確に多数の配列を解析するための定量方法を含む。本技術は、ハイブリダイゼーションによってDNA試料をスクリーニングするために、一本鎖DNAの相補的結合特性を利用する。Peaseら(1994)；Fodorら(1991)。
【００５３】
基本的には、DNA配列または遺伝子チップは、一本鎖DNA分子のアレイが付着された固体基質から成る。スクリーニングのために、チップまたは配列を一本鎖DNA試料と接触させ、これにより、ストリンジェントな条件下でハイブリダイズさせることができる。次いで、チップまたはアレイを走査して、どのプローブがハイブリダイズしたかを決定する。本発明の特定の態様において、遺伝子チップまたはDNAアレイは、新生物形成または新生物発生前の表現型の発生に対する素因を立証する染色体の変化に対して特異的なプローブを含む。この態様に関して、このようなプローブは、患者のDNAの合成オリゴヌクレオチド、cDNA、ゲノムDNA、酵母人工染色体（YAC）、細菌人工染色体（BAC）、染色体マーカー、または遺伝の変化を示すのに適していると当業者が認識するその他の構築物から増幅されるPCR産物を含み得る。
【００５４】
種々の遺伝子チップまたはDNAアレイの型式が、当技術分野において、たとえば米国特許第5,861,242号および第5,578,832号（明白に参照として本明細書に組み入れられる）に記載されている。開示された方法をこのようなチップまたはアレイの構築に適用するための手段は、当業者には明らかであろう。簡単に述べると、遺伝子チップまたはアレイの基本的構造は、以下を含む：(1)励起源；(2)プローブのアレイ；(3)標本抽出エレメント；(4)検出器；および、(5)シグナル増幅／処理系。また、チップは、プローブを固定するための支持体を含んでいてもよい。
【００５５】
特定の態様において、標的核酸は、検出可能なシグナル、たとえばルミネセンスを放射する物質によってタグ化または標識がなされていてもよい。また、標的核酸は、光変換器および関連した検出回路をも支持する統合されたマイクロチップ上へ固定されていてもよい。または、遺伝子プローブは、膜またはフィルター上へ固定され、次いでマイクロチップに、または検出器表面自体に付着されていてもよい。さらなる態様において、固定されたプローブは、標的核酸に結合したときに、検出可能なまたは変化したシグナルを放射する物質によってタグ化または標識がなされていてもよい。タグ化または標識の種類は、蛍光、リン光、または別の発光であってもよく、またはラマンエネルギーを放射してもよく、またはエネルギーを吸収してもよい。プローブが選択的に標的とした種に結合するときに、チップによって検出されるシグナルが発生する。次いで、シグナルの性質に依存して、シグナルをいくつかの方法で処理してもよい。
【００５６】
DNAプローブは、最適な接触および最大検出を確実にするために、トランスデューサ検出表面に直接または間接的に固定してもよい。固体基質に対してポリヌクレオチド・プローブを直接合成または付着する能力は、当技術分野において周知である。米国特許第5,837,832号および第5,837,860号を参照されたい（いずれも明白に参照として組み入れられる）。基質にプローブを永久にまたは着脱自在に付着するために、種々の方法が利用されている。典型的な方法には、アビジン／ストレプトアビジン被覆された支持体に対するビオチン化された核酸分子の固定（Holmstrom、1993）、化学的に修飾されたポリスチレン・プレートに対する短い5'リン酸化プライマーの直接的な共有結合的付着（Rasmussenら、1991）、またはポリ-L-Lysもしくはポリ-L-Lys、Pheでポリスチレンもしくはガラス固相を予め被覆し、続いて二機能性架橋試薬を使用してアミノ修飾もしくはスルフヒドリル修飾されたオリゴヌクレオチドのいずれかを共有結合的に付着する工程（Runningら、1990；Newtonら、1993）を含む。基質上へ固定するときに、プローブは安定化され、したがって、繰り返し使用してもよい。一般的な用語において、ハイブリダイゼーションは、固定された標的核酸に対して行われるか、またはプローブ分子は、ニトロセルロース、ナイロン膜、もしくはグラスなどの固体表面に付着されている。多くのその他の基質物質を使用してもよく、これらには、補強されたニトロセルロース膜、活性石英、活性ガラス、重合ビニリデン二フッ化物（PVDF）膜、ポリスチレン基質、ポリアクリルアミドベースの基質、およびポリ（塩化ビニル）、ポリ（メチルメタクリレート）、ポリ（ジメチルシロキサン）などのその他のポリマー、および標的分子と共有結合を形成する能力がある感光性ポリマー（ニトレン、カルベン、およびケチルラジカルなどの光反応性種を含む）を含む。
【００５７】
選択された支持体に対するプローブの結合は、いくつかの手段のいずれかによって達成されてもよい。たとえば、DNAは、一般に、まずガラス表面をシラン化して、次いでカルボジイミドまたはグルタルアルデヒドで活性化することによってガラスに結合される。他の手順では、DNA合成の間に分子の3'または5'末端のいずれかに組み込んだアミノ・リンカーを経て結合されたDNAを有する、3-グリシドキシプロピルトリメトキシシラン（GOP）またはアミノプロピルトリメトキシシラン（APTS）などの試薬を使用してもよい。DNAは、紫外線を使用して膜に直接結合してもよい。ニトロセルロース膜では、DNAプローブを膜上へスポットする。紫外線源（Stratalinker（商標）, Stratagene, La Jolla, CA）を使用して、DNAスポットを照射し、架橋を誘導する。架橋の代替法には、減圧下で2時間、80℃でスポットした膜を焼くことを含む。
【００５８】
特異的なDNAプローブを、まず膜上へ固定し、次いでトランスデューサ検出表面と接触して膜に付着させる。この方法は、トランスデューサ上にプローブが結合することを回避し、大量産生に望ましいと思われる。特にこの適用に適した膜は、ニトロセルロース膜（たとえば、BioRad, Hercules, CA）またはポリビニリデン二フッ化物（PVDF）（BioRad, Hercules, CA）またはナイロン膜（Zeta-Probe, BioRad）またはポリスチレンベースの基質（DNA. BIND（商標） Costar, Cambridge, MA）を含む。
【００５９】
B. 核酸増幅手順
核酸を研究する有効な技術には、増幅を含む。増幅は、通常鋳型に依存しており、鋳型のコピーをさらに製作するために、これらは鋳型鎖の存在に依存することを意味する。鋳型に依存したプロセスにおいて、初期核酸の合成をプライミングすることができる短い核酸であるプライマーを鋳型鎖にハイブリダイズさせる。典型的には、プライマーは、長さが10〜30塩基対であるが、より長い配列を使用することもできる。プライマーは、二本鎖および／または一本鎖形態で提供されてもよいが、一般に一本鎖形態が好ましい。
【００６０】
プライマー対は、鋳型核酸の異なった領域に選択的にハイブリダイズさせるように設計されていることが多く、選択的ハイブリダイゼーションができる条件下において鋳型DNAと接触させる。所望の適用に依存して、完全にプライマーに対して相補的な配列に対するハイブリダイゼーションのみを可能にする高いストリンジェンシーのハイブリダイゼーション条件を選択してもよい。その他の態様において、ハイブリダイゼーションは、プライマー配列と、1つまたは複数の不適当な組合せを含む核酸の増幅を可能とする、減少したストリンジェンシー下で行ってもよい。一旦ハイブリダイズされると、鋳型-プライマー複合体は、鋳型依存性の核酸合成を容易にする1つまたは複数の酵素と接触する。また、「サイクル」と呼ばれる多数の増幅ラウンドを、十分な量の増幅産物が産生されるまで行う。
【００６１】
PCR：所与の鋳型試料に存在するオリゴヌクレオチド配列を増幅するために、多くの鋳型依存性のプロセスを利用できる。最も周知の増幅方法のうちの1つは、米国特許第4,683,195号、第4,683,202号、および第4,800,159号、ならびにInnisら、1988（これらのそれぞれは、その全体が参照として本明細書に組み入れられる）において詳述されているポリメラーゼ連鎖反応法（PCR（商標）と称する）である。PCR（商標）において、選択的ハイブリダイゼーションが可能な条件下で、選択的に核酸にハイブリダイズするプライマー対を使用する。本明細書に使用される、プライマーという用語は、鋳型依存性のプロセスにおいて、初期核酸の合成を満たすことができる任意の核酸も含む。プライマーは、二本鎖または一本鎖形態で提供されてもよいが、一本鎖形態が好ましい。
【００６２】
プライマーは、所与の鋳型試料に存在する標的遺伝子配列を増幅するために、多くの鋳型依存性のプロセスの任意の1つにおいて使用される。最も周知の増幅方法のうちの1つは、米国特許第4,683,195号、第4,683,202号、および第4,800,159号（それぞれが参照として本明細書に組み入れられる）に詳述するPCR（商標）である。
【００６３】
PCR（商標）において、標的遺伝子配列の反対の相補鎖の領域に対して相補的である2つのプライマー配列を調製する。試料に標的遺伝子配列が存在する場合、プライマーがハイブリダイズして、核酸：プライマー複合体を形成すると考えられる。過剰なデオキシリボヌクレオシド三リン酸を、DNAポリメラーゼ、たとえば鋳型依存性の核酸合成を容易にするTaqポリメラーゼとともに反応混合物に添加する。
【００６４】
標的遺伝子の配列：プライマーの複合体が形成された場合、ポリメラーゼは、プライマーにヌクレオチドを付加することによって、標的遺伝子配列に沿った伸長を生じさせる。反応混合物の温度を上下させることによって、伸長されたプライマーが、標的遺伝子から分離して反応生成物を形成し、過剰のプライマーが、標的遺伝子および反応生成物に結合し、本プロセスが繰り返される。増幅産物の十分な量が産生されるまで、「サイクル」と称するこれらの多数の増幅ラウンドを行う。
【００６５】
増幅されるmRNAの量を定量化するために、逆転写酵素PCR（商標）増幅手順を行ってもよい。RNAをcDNAに逆転写する方法は、周知であり、Sambrookら、1989、に記載されている。逆転写のための代わりの方式は、耐熱性DNAポリメラーゼを利用する。これらの方法は、1990年12月21日に出願された国際公開公報第90/07641号に記載されている。
【００６６】
LCR：増幅のためのもう一つの方法は、リガーゼ連鎖反応（「LCR」）であり、欧州特許出願第320,308号（参照として本明細書に組み入れられる）に記載されている。LCRでは、2つの相補的プローブ対を調製し、標的配列の存在下において、それぞれの対を、これらが隣接するように反対の標的相補鎖に結合する。リガーゼの存在下において、2つのプローブ対が結合して単一のユニットを形態する。温度サイクリングによって、PCR（商標）のように、結合された連結ユニットが標的から分離し、次いで過剰なプローブ対のライゲーションのための「標的配列」として機能する。米国特許第4,883,750号（参照として本明細書に組み入れられる）には、標的配列に対するプローブ対の結合のためのLCRと同種の方法を記載する。
【００６７】
Qβレプリカーゼ：PCT特許出願PCT/US87/00880に記載されているQβレプリカーゼは、また、本発明のさらに別の増幅方法として使用されてもよい。この方法では、標的の領域に相補的な領域を有するRNAの複製性の配列を、RNAポリメラーゼの存在下において試料に添加する。ポリメラーゼは、複製性の配列の複製に続いてこれを検出することができる。
【００６８】
等温性増幅：限定部位の1つの鎖のヌクレオチド5'-[α-チオ]-三リン酸を含む標的分子の増幅を達成するために、制限エンドヌクレアーゼおよびリガーゼを使用する等温性増幅方法は、また、本発明の核酸の増幅にも有効であろう。このような増幅方法は、Walkerら、1992（参照として本明細書に組み入れられる）によって記載されている。
【００６９】
鎖置換増幅：鎖置換増幅（Strand Displacement Amplification：SDA）は、核酸の等温性増幅を行うもう一つの方法であり、多数のラウンドの鎖置換および合成、すなわちニックトランスレーション法を含む。修復鎖反応と呼ばれている同種の方法（Repair Chain Reaction：RCR）は、増幅のための標的領域の全体にわたっていくつかのプローブのアニールに続いて、4つの塩基のうちの2つだけが存在する修復反応を含む。検出を簡単にするために、ビオチン化された誘導体として、その他の2つの塩基を添加することができる。同種のアプローチは、SDAにおいても使用される。
【００７０】
環状プローブ反応：標的特異的配列は、環状プローブ反応（CPR）を使用して検出することもできる。CPRでは、非特異的DNAの3'および5'配列ならびに特異的なRNAの中間配列を有するプローブを、試料に存在するDNAにハイブリダイズさせる。ハイブリダイゼーションにより、反応をRNace Hで処理して、消化後に放出される特徴的な産物としてプローブの産物を同定する。元の鋳型は、別のサイクリング・プローブにアニールされ、反応が繰り返される。
【００７１】
転写に基づいた増幅：その他の核酸増幅手順は、核酸配列に基づいた増幅（NASBA）および3SR、Kwohら、（1989）；PCT出願国際公開公報公開広報第88/10315、1989号（それぞれ参照として本明細書に組み入れられる）を含む転写に基づいた増幅系（TAS）を含む。
【００７２】
NASBAでは、標準的なフェノール／クロロホルム抽出、臨床試料の熱変性、可溶化緩衝液を用いた処理、ならびにDNAおよびRNAを単離するためのミニスピンカラム、またはRNAの塩化グアニジニウム抽出によって、増幅のための核酸を調製することができる。これらの増幅技術は、標的特異的な配列を有するプライマーをアニールすることを含む。ポリメリゼーションに続いて、DNA／RNAハイブリッドをRNase Hによって消化し、一方で二重鎖DNA分子を再び熱で変性させる。いずれにせよ、一本鎖DNAは、第2の標的特異的なプライマーの添加に続くポリメリゼーションによって完全に二重鎖にする。次いで、二本鎖DNA分子をT7またはSP6などのポリメラーゼによって倍に転写させる。等温性環状反応において、RNAのものが二本鎖DNAに転写され、T7またはSP6などのポリメラーゼに対して一度逆転写される。生じる産物は、切断されたかまたは完全であるかのいずれであっても、標的特異的な配列を示す。
【００７３】
その他の増幅方法：英国特許出願GB2,202,328号、およびPCT出願PCT/US89/01025（それぞれが本明細書に組み込まれる）に記載されるように、その他の増幅方法を本発明に従って使用してもよい。前者の適用では、「修飾された」プライマーを、PCR（商標）の様に鋳型および酵素依存性の合成に使用する。プライマーは、捕獲部分（たとえば、ビオチン）および／または検出器部分（たとえば、酵素）による標識によって修飾されてもよい。後者では、過剰な標識されたプローブを試料に添加する。標的配列の存在下では、プローブが結合して触媒的に切断される。切断後、標的配列が無傷のまま放出され、過剰なプローブが結合する。標識されたプローブの切断は、標的配列の存在のシグナルとなる。
【００７４】
Daveyらの欧州特許出願第329822号（参照として本明細書に組み入れられる）は、一本鎖RNA（「ssRNA」）、ssDNA、および二本鎖DNA（dsDNA）を周期的に合成することを含む核酸増幅プロセスを開示しており、これを本発明に従って使用してもよい。
【００７５】
ssRNAは、第1のプライマー・オリゴヌクレオチドのための第1の鋳型であり、逆転写酵素（RNA依存性DNAポリメラーゼ）によって伸長される。次いで、リボヌクレアーゼ H（RNase H、DNAまたはRNAのいずれかと二重鎖のRNAに特異的なRNase）の作用によって生じるDNA：RNA二重鎖からRNAを除去する。生じるssDNAは、第2のプライマーのための第2の鋳型であり、これは、5'に鋳型に対してその相同性のRNAポリメラーゼ・プロモーターの配列（T7 RNAポリメラーゼによって例示される）も含む。次いで、このプライマーをDNAポリメラーゼ（大腸菌DNAポリメラーゼIの大きな「クレノー」断片によって例示される）によって伸長し、プライマー間で元のRNAのものと同一の配列を有し、さらに一端にプロモーター配列を有する二本鎖DNA（「dsDNA」）分子を生じる。適切なRNAポリメラーゼによってDNAの多くのRNAコピーを作るために、このプロモーター配列を使用することができる。次いで、これらのコピーを、非常にすみやかな増幅を導くサイクルに再び入れることができる。適当な酵素の選択により、この増幅は、それぞれのサイクルで酵素を追加することなく等温で行うことができる。このプロセスの周期的な性質のため、開始配列は、DNAまたはRNAのいずれかの形態であるものを選択することができる。
【００７６】
Millerら、PCT特許出願国際公開公報公開広報第89/06700号（参照として本明細書に組み入れられる）は、標的一本鎖DNA（「ssDNA」）に対するプロモーター／プライマー配列のハイブリダイゼーションに続いて、この配列の多くのRNAコピーの転写に基づいた核酸配列増幅スキームを開示する。このスキームは周期的ではなく、すなわち新たな鋳型は、生じるRNA転写物から産生されない。
【００７７】
その他の適切な増幅方法は、「race」および「one-sided PCR（商標）」を含む（Frohman, 1990；Oharaら、1989、それぞれが本明細書に参照として組み入れられる）。また、生じる「ジ-オリゴヌクレオチド」の配列を有する核酸の存在下において二つ（または、より多く）のオリゴヌクレオチドをライゲーションすることに基づき、これによりジ-オリゴヌクレオチドを増幅する方法を、本発明の増幅工程に使用してもよい（Wuら、1989、参照として本明細書に組み入れられる）。
【００７８】
C. 核酸分離のための方法
核酸産物は、鋳型および過剰なプライマーなどのその他の材料から分離することが望ましいと思われる。1つの態様において、増幅産物は、標準的な分析法（Sambrookら、1989）を使用して、アガロース、アガロースアクリルアミド、またはポリアクリルアミドゲル電気泳動によって分離される。さらなる操作のために、分離された増幅産物をゲルから切り出して、溶出させてもよい。低融点アガロースゲルを用いて、ゲルを加熱し、続いて核酸の抽出によって、分離されたバンドを除去してもよい。
【００７９】
また、核酸の分離は、当技術分野において既知のクロマトグラフィ技術によって行われてもよい。本発明の実施に使用してもよい多くのクロマトグラフィの種類は、吸着、分配、イオン交換、ヒドロキシルアパタイト、モレキュラーシーブ、逆相、カラム、ペーパー、薄層、およびガス・クロマトグラフィ、ならびにHPLCを含む。
【００８０】
特定の態様において、増幅産物は、視覚化される。典型的な可視化方法は、臭化エチジウムでゲルを染色し、紫外線下でバンドを可視化することを含む。または、増幅産物が放射線標識または蛍光定量的に標識されたヌクレオチドによって一体的に標識されている場合、分離された増幅産物は、X線写真に暴露すること、または適切な興奮性のスペクトルを示す光で視覚化することができる。
【００８１】
V. 個人歴測定基準
本明細書に開示された遺伝的分析の使用に加えて、本発明は、癌を発症する個体のリスクを測定する際に、さらなる因子を利用する。特に、本方法の予測精度を改善するために、年齢、民族性、妊娠歴、月経歴、経口避妊薬使用、ボディマス指数、アルコール消費歴、喫煙歴、運動歴、および食餌を含む多くの因子を調査する。また、親族の癌の病歴および親族が癌であると診断された年齢は、重要な個人歴測定基準である。表現型（この場合は癌）を予測するための解析の遺伝的データによる個人歴測定基準の内容は、ほとんどすべての表現型が、個体の遺伝子とこれらの遺伝子が作用する環境との間の動的相互作用に由来するという認識を根拠とする。たとえば、白い肌は、黒色腫になりやすい個体であるが、個体が太陽の紫外線から保護されないで持続的に曝露された場合のみである。個人歴は、検査した遺伝形質の任意の癌表現型の表現率の変更因子である可能性があるので、本発明者らは、彼らの解析に個人歴測定基準を含む。当業者であれば、この段落に列記した個人歴測定基準が、癌表現型の表現率に影響を及ぼすような環境因子のみではないことを理解する。
【００８２】
VI. キット
また、本発明は、本発明に従って使用されるキットの調製品を想定する。適切なキットは、チューブ、小びん、ならびに収縮包装されたパッケージおよびブロー成形パッケージを含む適切な容器およびパッケージ材の中に、本発明に従って使用される種々の試薬を含む。
【００８３】
本発明に従ってキットの含有物に適した材料は、以下のうちの1つまたは複数である：
関心対象の遺伝的多型（たとえば、表1において一覧を示すもの）に隣接するDNAまたはcDNA配列ドメインにアニールする遺伝子特異的なPCRプライマー対（オリゴヌクレオチド）；
PCRを行う必要なくゲノムDNAまたはcDNAの特異的な配列ドメインを増幅することができる試薬；
PCRまたは非PCR増幅によって増幅される配列ドメインの種々の予想される対立遺伝子間を区別するために必要な試薬（たとえば、制限エンドヌクレアーゼ、オリゴヌクレオチドからのシグナルを増幅する酵素または蛍光化学基を含み、かつ対立遺伝子の区別を最も強くするように修飾されたものを含む、多型の1つの対立遺伝子に優先してアニールするオリゴヌクレオチド）；
種々の対立遺伝子に由来する産物を物理的に分離するために必要な試薬（たとえば、電気泳動に使用するためのアガロースまたはポリアクリルアミドおよび緩衝液、HPLCカラム、SSCPゲル、ホルムアミド・ゲル、またはMALDI-TOFのためのマトリックス支持体）。
【００８４】
VII. 癌予防法
本発明の1つの側面において、乳癌をハイリスクで発症することを評価するために、予防的癌治療のための候補を同定する能力が改善されている。乳癌予防に使用される一次薬物は、タモキシフェンおよびラロキシフェンであって、さらに以下に論議した。
【００８５】
A. タモキシフェン
タモキシフェン（NOLVADEXS（登録商標））非ステロイド性抗エストロゲンは、クエン酸タモキシフェンとして提供される。クエン酸タモキシフェン・タブレットは、10mgまたは20mgのタブレットとして使用される。それぞれの10mgのタブレットは、10mgのタモキシフェンと同等の15.2mgのクエン酸タモキシフェンを含む。不活性成分は、カルボキシメチルセルロースカルシウム、ステアリン酸マグネシウム、マンニトール、およびデンプンを含む。クエン酸タモキシフェンは、トリフェニルエチレン誘導体のトランス異性体である。化学名は、（Z）2-[4-（1,2-ジフェニル-l-ブテニル）フェノキシ]-N,N-ジメチルエタンアミン 2-ヒドロキシ-1,2,3-プロパントリカルボキシレート（1：1)である。クエン酸タモキシフェンは、563.62の分子量を有し、pKa'は、8.85であり、37℃の水における平衡溶解度は、0.5mg/mLであり、37℃の0.02N HClにおいて、0.2mg／mLである。
【００８６】
クエン酸タモキシフェンは、動物試験系において強力な抗エストロゲン特性を有する。正確な作用機構は知られていないが、抗エストロゲン効果は、胸部などの標的組織の結合部に対して、これがエストロゲンと競合する能力に関与しているのであろう。タモキシフェンにより、ジメチルベンゾアントラセン（DMBA）によって誘導されるラット乳癌の誘導が阻害され、ラットのインサイチューにおけるDMBAで誘導される腫瘍の退行が生じる。このモデルにおいて、タモキシフェンは、エストロゲン受容体に結合することによってその抗癌効果を発揮するように見える。
【００８７】
タモキシフェンは、経口投与後に広範に代謝される。20mgの放射線標識された（14C）タモキシフェンを受けた女性における調査では、投与された用量の約65%が2週間にわたって体から排出されることを示した（大部分は糞便経路による）。N-デスメチルタモキシフェンは、患者の血漿において見出される主要な代謝産物である。N-デスメチルタモキシフェンの生物学的活性は、タモキシフェンのものと同様に見える。4-ヒドロキシタモキシフェン、およびタモキシフェンの側鎖の一級アルコール誘導体は、血漿において微量な代謝産物として同定された。
【００８８】
20mgの1回の経口投与に続いて、40ng/mLの平均血漿濃度ピーク（35〜45ng/mLの範囲）が、投薬の約5時間後に生じた。タモキシフェンの血漿濃度の減退は、二相性であり、約5〜7日の末端排出半減期である。N-デスメチルタモキシフェンの平均血漿濃度ピークは、15ng/mLである（10〜20ng/mLの範囲）。10mgのタモキシフェンを1日2回で3ヵ月間患者に投与する長期投与では、タモキシフェンについて120ng/mL（67〜183ng/mLの範囲）およびN-デスメチルタモキシフェンについて336ng/mL（148〜654ng/mLの範囲）の平均定常状態血漿濃度を生じる。20mgのタモキシフェンの1日1回で3ヵ月間の投与後のタモキシフェンおよびN-デスメチルタモキシフェンの平均定常状態血漿濃度は、それぞれ122ng/mL（71〜183ng/mLの範囲）および353ng/mL（152〜706ng/mLの範囲）ある。治療開始後、タモキシフェンの定常状態濃度は、約4週間で達成され、N-デスメチルタモキシフェンの定常状態濃度は、約8週間で達成されることから、この代謝産物について約14日の半減期が示唆される。
【００８９】
乳癌患者に対して推奨される一日量は、20〜40mgである。1日あたり20mgよりも多い用量では、分割量（朝および夕方）で与えるべきである。しかし、予防的用量では、もっと低くてもよい。
【００９０】
B. ラロキシフェン
塩酸ラロキシフェン（EVISTA（登録商標））は、ベンゾチオフェン分類の化合物に属する選択的エストロゲン受容体修飾因子（SERM）である。化学的命名では、メタノン,[6-ヒドロキシ-2-（4-ヒドロキシフェニル）ベンゾ[b]チエン-3-イル]-[4-[2-(l-ピペリジニル)エトキシ]フェニル]-ヒドロクロリドである。塩酸ラロキシフェン（HCl）は、実験式C28H27NO4S・HClを有し、510.05の分子量と一致する。ラロキシフェンHClは、オフホワイトから淡黄色の固体であり、ほんのわずかに水に可溶性である。
【００９１】
ラロキシフェンHClは、経口投与のためにタブレット剤形で供給される。それぞれのタブレットは、60mgのラロキシフェンHClを含み、モル当量55.71mgの遊離塩基である。不活性成分は、無水ラクトース、カルヌバ（carnuba）ワックス、クロスポピドン（crospovidone）、FD＆C Blue No.2アルミニウムレーキ、ヒドロキシプロピルメチルセルロース、ラクトース一水和物、ステアリン酸マグネシウム、修飾された薬学的上薬、ポリエチレングリコール、ポリソルベート80、ポビドン、プロピレングリコール、および二酸化チタンを含む。
【００９２】
エストロゲン様のラロキシフェンの生物学的作用は、エストロゲン受容体に対する結合を媒介する。前臨床のデータでは、ラロキシフェンが子宮および胸部組織のエストロゲン・アンタゴニストであることを示す。予備的臨床データ（30ヶ月にわたる）では、EVISTA（登録商標）が子宮および胸部組織に対してエストロゲン様の効果がないことを示唆する。
【００９３】
ラロキシフェンは、経口投与後に迅速に吸収される。経口投与量の約60%が吸収されるが、前全身性（presystemic）のグルクロニド抱合体では広範囲である。ラロキシフェンの絶対生体有用性は、2.0%である。平均最大血漿濃度および生体有用性に達するときに、ラロキシフェンおよびそのグルクロニド代謝産物の全身相互転換ならびに腸管サイクリングが機能する。
【００９４】
30〜150mgの範囲のラロキシフェンHClの単一用量の経口投与後、見かけの体積の分布は、2.348L／kgであり、用量依存性ではない。ヒトにおけるラロキシフェンの生体内変化および素因を14C標識されたラロキシフェンの経口投与後に決定した。ラロキシフェンは、グルクロニド抱合体：ラロキシフェン-4'-グルクロニド、ラロキシフェン-6-グルクロニド、およびラロキシフェン-6,4'-ジグルクロニドに対して広範囲な初回通過代謝を受ける。他のいかなる代謝産物も検出されなかったことから、ラロキシフェンがチトクロムP450経路によって代謝されないという強い証拠が提供される。非抱合型ラロキシフェンは、血漿中の総放射性標識材料の1%未満を含む。ラロキシフェンおよびグルクロニドの血漿濃度曲線の末端の対数-直線部分は、一般に平行である。これは、ラロキシフェンおよびグルクロニド代謝産物の相互転換と一致している。
【００９５】
静脈内投与後には、ラロキシフェンは肝血流量に近い割合で除去される。見かけの経口クリアランスは、毎時44.1L／kgである。ラロキシフェンおよびそのグルクロニド抱合体は、可逆的な全身代謝および腸管サイクリングによって相互変換され、これにより、経口投与後の27.7時間までその血漿排出半減期を延長する。ラロキシフェンの1回の経口投与に由来する結果から、多回投与薬物動態学を予測する。長期投与後には、クリアランスが毎時40〜60L／kgで変動する。ラロキシフェンHCl用量の増大により（30〜150mgの範囲）、血漿時間濃度曲線（AUC）下の領域において、比例的な増加よりも僅かに少ない。ラロキシフェンは、主に大便中に排出され、尿には不変で、0.2%未満が排出される。グルクロニド接合体として、ラロキシフェン用量の6%未満が尿中に除去される。
【００９６】
推奨される用量は、毎日1つの60mgのタブレットであり、食事に関係なく1日中いつでも投与されてもよい。食事摂取が不適当な場合、追加のカルシウムが推奨される。
【００９７】
C. STAR
米国、カナダ、およびプエルトリコ全体の400を超えるセンターが、タモキシフェンおよびラロキシフェンの臨床試験に現在参加しており、STARとして知られている。これはこれまでに行われた最も大規模な乳癌防止治験のうちの1つである。また、STARは、乳癌を発症する機会を減少することが証明された薬物を、乳癌リスクを減少する可能性を有するもう一つの薬物と比較する最初の治験である。全ての参加者は、5年間どちらか一方の薬物を受ける。少なくとも22,000人の乳癌のリスクの大きい閉経婦人が、STARに参加すると考えられる。全ての人種および人種集団がSTARに参加することが奨励されている。
【００９８】
タモキシフェン（NOLVADEX（登録商標））は、疾患のリスクの高い女性において、49%まで乳癌発病率を減少することが乳癌防止治験（Breast Cancer Prevention Trial）において証明された。米国食品医薬品局（FDA）は、1998年10月に、疾患のリスクが高い女性の乳癌発生率を減少するタモキシフェンを使用することを承認した。20年よりも長くタモキシフェンによって乳癌の女性を治療することがFDAに承認されており、約30年間臨床試験されている。
【００９９】
ラロキシフェン（商品名EVISTA（登録商標））は、骨粗鬆症を防止し治療するためにこれを使用する大規模な研究において、乳癌の発生率を減少することが示された。この薬物は、1997年12月に、閉経婦人の骨粗鬆症を妨げるためにFDAによって承認され、約5年間検討中であった。
【０１００】
研究は、閉経婦人の乳癌を防止する際に、ラロキシフェンの有効性を、タモキシフェンの有効性と比較する、ランダム化された二重盲検臨床試験である。女性は、少なくとも35歳で、マンモグラフィーを受けてから1年以内に乳癌の証拠がなく、乳癌を防止するために以前に乳房切除術を行っておらず、インサイチューで以前に観血的乳癌または分泌管内癌を有しておらず、少なくとも3か月間ホルモン療法を行っておらず、かつ胸部に対して以前に放射線療法を行っていてはならない。
【０１０１】
患者は、ランダムに2群のうちの1つに割り当てられる。群1の患者は、日に一度プラシーボを加えたラロキシフェンを経口で受ける。群2の患者は、日に一度プラシーボを加えたタモキシフェンを経口で受ける。治療は、5年間続ける。生活の質は、研究の初めに、およびそれから6か月ごとに5年間評価する。次いで、患者は、年に一度フォローアップ評価を受ける。
【０１０２】
当業者であれば、その他の化学防御薬が現在開発中であることを理解するであろう。開示された発明は、これらが商業的に入手可能になったときおよびその場合も、これらの新薬のより適切かつ有効な適用が容易になると思われる。
【０１０３】
VIII. 実施例
以下の実施例は、本発明の好ましい態様を示すために含まれる。実施例において開示された技術は、本発明者らによって発見された技術が、本発明の実施において十分に機能することを表し、したがってその実行のための好ましい態様を構成するとみなされ得ることが当業者に認識されるはずである。しかし、当業者は、本開示を考慮して、開示された特定の態様に多くの変化を作製し、および本発明の精神と範囲から逸脱することなく、似た結果または同種の結果を得ることができることを認識するはずである。
【０１０４】
実施例1-方法
乳癌であると診断された個体から、または癌のない対照からのDNA検体を96ウェルPCRプレート上に配列した。オペレーターは、個々の検体が癌患者または対照に由来するかどうかについての情報に関しては知らされなかった。また、既知の遺伝子型のDNA検体および鋳型なしの対照ブランクのウェルを96ウェルプレート上に配列した検体に含めた。解析した遺伝的の多型部位に隣接した遺伝子に特異的なプライマー対によってPCRを行った。SNPの1つの対立遺伝子を認識して切断するがその他では行わない制限エンドヌクレアーゼによって、遺伝子特異的なPCR産物を典型的に消化した。次いで、制限消化されたPCR産物を電気泳動によって示し、制限断片長多型（RFLP）としてスコアした。他方の対立遺伝子と比較して、多型の1つの対立遺伝子のDNA配列の挿入または欠失によって生じた遺伝的多型については、多型を制限エンドヌクレアーゼで事前に消化することなく、ゲル電気泳動によって遺伝子特異的なPCR産物を表すことによって、長さの多型として直接アッセイした。個々のDNA検体の遺伝子型は、消化した遺伝子または消化していない遺伝子に特異的なPCR産物が示された電気泳動ゲルのイメージを検査することによって決定した。DNA検体の約4分の1を繰り返し解析に供し、種々のアッセイ法の結果を内部で繰り返して確認した。遺伝子タイピング・アッセイ法からのデータを生物統計学者に提供し、数値的コードを破壊し、種々の遺伝子型を適切なカテゴリー、乳癌患者、または癌のない対照に割り当てた。統計解析を行って、対照と比較して乳癌ケースと種々の遺伝子型の関連を決定した。
【０１０５】
解析の結果は、表2A〜4Cに示してある。表2A〜Cは、全てが白人女性において、層別化されていない個体群の乳癌リスクと多形の対立遺伝子の組み合わせ間の関連を示す。表3A〜Cは、54歳より若い女性についてのみの関連を示す。表4A〜Cは、54歳より高い年齢で乳癌であると診断された女性についての結果を開示する。
【０１０６】
それぞれの表は、3部（部分A〜C）に分けられる。部分Aは、これらを一つずつ検査する場合、20個の検査した遺伝子における多型とのリスクの関係を示す。部分Bは、一度に2つを組み合わせて検査する場合、これらの同じ遺伝子で最も高い関連したリスク相関を示す。部分Cは、遺伝子を一度に3個検査した場合に、最も高い関連したリスク相関を示す。
【０１０７】
実施例2-結果：年齢で層別化されない
本発明者らは、乳癌と種々の遺伝的多型の関連を検討した。この解析において使用されるデータセットは、乳癌であると診断された約600人の女性、およびこれまでにいかなる癌も診断されなかった約1400人の女性から成った。20個の異なる遺伝的多型を検査した。DNA検体には、参照のための番号を割り当てたが、その他の点では個人識別子を取り除いた。表2A〜Cに示した結果は、多くの異なる方法で行った複合したブートストラップ解析の合成である。一般に、単独で（1つずつ）検査した場合、多型は乳癌診断のリスクとわずかに関連した。群として、乳癌表現型に対して低い表現率または表現率がないものは、通常リスク対立遺伝子と呼ばれるであろう。この研究の間になされた驚くべき観察は、組み合わせて（対において、または、3以上の組み合わせにおいて）検査するときに、複合した遺伝子型が、乳癌診断に対して高いリスクまたは高い表現率を示したことが定義されたことであった。表2Aは、これらの多型を単独で検査したものの結果を示す。それぞれの対において、または3つの組み合わせにおいて、検査したこれらの同じ多型解析の結果を表2Bおよび2Cに示す。本発明者らは、2つ（対）を組み合わせてこれらの多型を検査することが、多型を単独で検査するよりも、乳癌リスクを推定するためには有益であることを見出した。次いで、これらの遺伝子対は、乳癌であると診断される個々の女性のリスクを層別化するための非常に改善された識別精度を有する3つ以上の多型遺伝子を含む複合遺伝子型を同定するための構成単位を形成することができる。本発明者らは、これらの遺伝子対の構成単位から開始し、次いでその他の遺伝子からの情報を付加することにより、広範な相対的リスクにわたって、乳癌であると診断される個体のリスクを層別化することができる。この範囲は、平均リスクより少ない程度から平均リスクの数倍に及ぶ。
【０１０８】
表は、検査した遺伝子または遺伝子群、および比較したこれらの遺伝子の遺伝子型を示す。また、表は、平均リスクの個体と比較して、それぞれの遺伝子型を有する平均のオッズ比（OR）または相対リスクを示す。ORは、多くの解析の複合結果または集積結果であり、一般集団における真のORで最高の評価を表すので、これを平均として示してある。OR 1未満は、平均値より少ないリスクを表すが、1を超えるORは、平均値より大きいリスクを示す。平均p値は、平均ORを決定するために使用したORのChi2試験の平均値に基づいた統計的有意差の測定である。慣習により、p値≦0.05は、統計学的に有意であるとみなされる。単独で検査した遺伝的多型のORおよび付随するp値では、リスクを層別化する能力が非常に限定されており、p値が典型的には0.05を超えることは、この解析において一般的な観察である。対では、多型は、より広範囲にわたってリスクを層別化し、非常に低い（より有意な）p値を有する。さらなる遺伝子を対に付加すると、この傾向は続き、なおより優れたリスクの層別化および非常に小さなp値となる。
【０１０９】
（表2A）全ての年齢の白人女性（単独で検査した遺伝子の多型）
2005532780.tif 000004
2005532780.tif 000005
2005532780.tif 000006
【０１１０】
（表2B）全ての年齢の白人女性（対で検査した遺伝子の多型）
2005532780.tif 000007
2005532780.tif 000008
2005532780.tif 000009
2005532780.tif 000010
2005532780.tif 000011
2005532780.tif 000012
2005532780.tif 000013
2005532780.tif 000014
2005532780.tif 000015
2005532780.tif 000016
2005532780.tif 000017
2005532780.tif 000018
2005532780.tif 000019
対立遺伝子の記号「*」は、対立遺伝子が2つの可能性のある対立遺伝子のいずれかであり得ることを示す。たとえば、*／Tは、Cypl7多型においてT／TおよびC／Tを意味する。
【０１１１】
（表2C）全ての年齢の白人女性（3群で検査した遺伝子の多型）
2005532780.tif 000020
2005532780.tif 000021
2005532780.tif 000022
2005532780.tif 000023
2005532780.tif 000024
2005532780.tif 000025
2005532780.tif 000026
2005532780.tif 000027
2005532780.tif 000028
2005532780.tif 000029
2005532780.tif 000030
2005532780.tif 000031
2005532780.tif 000032
2005532780.tif 000033
2005532780.tif 000034
2005532780.tif 000035
2005532780.tif 000036
2005532780.tif 000037
2005532780.tif 000038
2005532780.tif 000039
2005532780.tif 000040
対立遺伝子の記号「*」は、対立遺伝子が2つの可能性のある対立遺伝子のいずれかであり得ることを示す。たとえば、*／Tは、Cypl7多型においてT／TおよびC／Tを意味する。
【０１１２】
実施例3-結果：年齢は、54歳未満で層別化した
上記の論議された解析に加えて、診断の年齢によって乳癌のケースを層別化するためにさらなる解析を行った。年齢による層別化は、より正確に個体の発癌リスクを推定するために、遺伝的解析による個人歴測定基準を使用する最初の例である。年齢による層別化により、乳癌からリスクを推定するために重要であった遺伝子の組み合わせに重要な相違が作製された。
【０１１３】
表3A〜Cに示した結果は、多くの異なる方法で行った複合したブートストラップ解析の合成である。この解析に使用されるデータセットは、乳癌であると診断された約340人の女性、およびこれまでにいかなる癌も診断されなかった約900人の女性から成った。この解析の全ての女性は、彼女らが乳癌であると診断されたとき、または癌がない場合は、この研究のために彼女らのDNAを回収した時に、54歳未満であった。20個の異なる遺伝的多型を検査した。一般に、単独で（1つずつ）検査したときに、これらの多型は、乳癌診断のリスクとわずかに関連した。群として、乳癌表現型に対して低い表現率または表現率がないものは、通常リスク対立遺伝子と呼ばれるであろう。この研究の間になされた驚くべき観察は、組み合わせ（対において、または、3以上の組み合わせにおいて）を検査するときに、複合した遺伝子型が、乳癌識別について高いリスクまたは高い表現率を示したことが定義されたことであった。表3Aは、これらの多型を単独で検査したものの結果を示す。それぞれ対において、または3つの組み合わせにおいて検査したこれらの同じ多型解析の結果を、表3Bおよび3Cに示す。2つ（対）を組み合わせてこれらの多型を検査することが、多型を単独で検査するよりも、乳癌リスクを推定するためには有益であることを見出した。次いで、これらの遺伝子対は、乳癌であると診断される個々の女性のリスクを層別化するための非常に改善された識別精度を有する3つ以上の多型遺伝子を含む複合した遺伝子型を同定するための構成単位を形成することができる。本発明者らは、これらの遺伝子対の構成単位から開始し、次いでその他の遺伝子からの情報を付加することにより、広範な相対的リスクにわたって、乳癌であると診断される個体のリスクを層別化することができる。この範囲は、平均リスクより少ない程度から平均リスクの数倍に及ぶ。表は、検査した遺伝子または遺伝子群、および比較したこれらの遺伝子の遺伝子型を示す。また、表は、平均リスクの個体と比較して、それぞれの遺伝子型を有する平均のオッズ比（OR）または相対リスクを示す。ORは、多くの解析を複合した結果または集積した結果であり、一般集団における真のORで最高の評価を表すので、これを平均として示してある。OR 1未満は、平均値より少ないリスクを表すが、1を超えるORは、平均値より大きいリスクを示す。平均p値は、平均ORを決定するために使用したORのChi2試験の平均値に基づいた統計的有意差の測定である。慣習により、p値≦0.05は、統計学的に有意であるとみなされる。単独で検査した遺伝的多型のORおよび付随するp値が、リスクを層別化する能力が非常に限定されており、p値が典型的には0.05を超えることは、この解析における一般的な観察である。対では、多型は、より広範囲にわたってリスクを層別化し、非常に低い（より有意な）p値を有する。さらなる遺伝子を対に付加するとこの傾向は続き、なおより優れたリスクの層別化および非常に小さなp値となる。
【０１１４】
（表3A）54歳未満の年齢の白人女性（単独で検査した遺伝子の多型）
2005532780.tif 000041
2005532780.tif 000042
2005532780.tif 000043
【０１１５】
（表3B）54歳未満の年齢の白人女性（対（一度に2つ）で検査した遺伝子の多型）
2005532780.tif 000044
2005532780.tif 000045
2005532780.tif 000046
2005532780.tif 000047
2005532780.tif 000048
2005532780.tif 000049
2005532780.tif 000050
2005532780.tif 000051
2005532780.tif 000052
2005532780.tif 000053
2005532780.tif 000054
2005532780.tif 000055
2005532780.tif 000056
対立遺伝子の記号「*」は、対立遺伝子が2つの可能性のある対立遺伝子のいずれかであり得ることを示す。たとえば、*／Tは、Cypl7多型においてT／TおよびC／Tを意味する。
【０１１６】
（表3C）54歳未満の年齢の白人女性（3つを組み合わせて検査した遺伝子の多型）
2005532780.tif 000057
2005532780.tif 000058
2005532780.tif 000059
2005532780.tif 000060
2005532780.tif 000061
2005532780.tif 000062
2005532780.tif 000063
2005532780.tif 000064
2005532780.tif 000065
2005532780.tif 000066
2005532780.tif 000067
2005532780.tif 000068
2005532780.tif 000069
2005532780.tif 000070
2005532780.tif 000071
2005532780.tif 000072
2005532780.tif 000073
2005532780.tif 000074
2005532780.tif 000075
2005532780.tif 000076
2005532780.tif 000077
2005532780.tif 000078
2005532780.tif 000079
2005532780.tif 000080
2005532780.tif 000081
2005532780.tif 000082
2005532780.tif 000083
2005532780.tif 000084
2005532780.tif 000085
2005532780.tif 000086
2005532780.tif 000087
2005532780.tif 000088
対立遺伝子の記号「*」は、対立遺伝子が2つの可能性のある対立遺伝子のいずれかであり得ることを示す。たとえば、*／Tは、Cypl7多型においてT／TおよびC／Tを意味する。
【０１１７】
実施例4-結果：年齢は、54歳より高い年齢で層別化された
本発明者らは、乳癌と種々の遺伝的多型の関係を検査した。表4A〜Cに示した結果は、多くの異なる方法で行った複合したブートストラップ解析の合成である。この解析に使用されるデータセットは、乳癌であると診断された約340人の女性、およびこれまでにいかなる癌も診断されなかった約900人の女性から成った。この解析の全ての女性は、彼女らが乳癌であると診断されたとき、または癌がない場合は、この研究のため彼女らのDNAを回収した時に、54歳よりも高い年齢であった。20個の異なる遺伝的多型を検査した。一般に、単独で（1つずつ）検査したときに、これらの多型は、乳癌診断のリスクとわずかかに関連した。群として、乳癌表現型に対して低い表現率または表現率がないものは、通常リスク・対立遺伝子と呼ばれるであろう。この研究の間になされた驚くべき観察は、組み合わせ（対において、または、3以上の組み合わせにおいて）を検査するときに、複合した遺伝子型が、乳癌識別について高いリスクまたは高い表現率を示したことが定義されたことであった。表4Aは、これらの多型を単独で検査したものの結果を示す。それぞれの対において、または3つの組み合わせにおいて検査したこれらの同じ多型解析の結果を、表4Bおよび4Cに示す。2つ（対）を組み合わせてこれらの多型を検査することが、多型を単独で検査するよりも、乳癌リスクを推定するためには有益であることを見出した。次いで、これらの遺伝子対は、乳癌であると診断される個々の女性のリスクを層別化するための非常に改善された識別精度を有する3つ以上の多型遺伝子を含む複合した遺伝子型を同定するための構成単位を形成することができる。本発明者らは、これらの遺伝子対の構成単位から開始し、次いでその他の遺伝子からの情報を付加することにより、広範な相対的リスクにわたって、乳癌であると診断される個体のリスクを層別化することができる。この範囲は、平均リスクより少ない程度から平均リスクの数倍に及ぶ。表は、検査した遺伝子または遺伝子群、および比較したこれらの遺伝子の遺伝子型を示す。また、表は、平均リスクの個体と比較して、それぞれの遺伝子型を有する平均のオッズ比（OR）または相対リスクを示す。ORは、多くの解析を複合した結果または集積した結果であり、一般集団における真のORで最高の評価を表すので、これを平均として示してある。OR 1未満は、平均値より少ないリスクを表すが、1を超えるORは、平均値より大きいリスクを示す。平均p値は、平均ORを決定するために使用したORのChi2試験の平均値に基づいた統計的有意差の測定である。慣習により、p値≦0.05は、統計学的に有意であるとみなされる。単独で検査した遺伝的多型のORおよび付随するp値が、リスクを層別化する能力が非常に限定されており、p値が典型的には0.05を超えることは、この解析における一般的な観察である。対では、多型は、より広範囲にわたってリスクを層別化し、非常に低い（より有意な）p値を有する。さらなる遺伝子を対に付加するとこの傾向は続き、なおより優れたリスクの層別化および非常に小さなp値となる。
【０１１８】
（表4A）54歳を超える年齢の白人女性（単独で検査した遺伝子の多型）
2005532780.tif 000089
2005532780.tif 000090
2005532780.tif 000091
【０１１９】
（表4B）54歳を超える年齢の白人女性（対（一度に2つ）で検査した遺伝子の多型）
2005532780.tif 000092
2005532780.tif 000093
2005532780.tif 000094
2005532780.tif 000095
2005532780.tif 000096
2005532780.tif 000097
2005532780.tif 000098
2005532780.tif 000099
2005532780.tif 000100
2005532780.tif 000101
2005532780.tif 000102
2005532780.tif 000103
2005532780.tif 000104
2005532780.tif 000105
対立遺伝子の記号「*」は、対立遺伝子が2つの可能性のある対立遺伝子のいずれかであり得ることを示す。たとえば、*／Tは、Cypl7多型においてT／TおよびC／Tを意味する。
【０１２０】
（表4C）54歳を超える年齢の白人女性（3つを組み合わせて検査した遺伝子の多型）
2005532780.tif 000106
2005532780.tif 000107
2005532780.tif 000108
2005532780.tif 000109
2005532780.tif 000110
2005532780.tif 000111
2005532780.tif 000112
2005532780.tif 000113
2005532780.tif 000114
2005532780.tif 000115
2005532780.tif 000116
2005532780.tif 000117
2005532780.tif 000118
2005532780.tif 000119
2005532780.tif 000120
2005532780.tif 000121
2005532780.tif 000122
2005532780.tif 000123
2005532780.tif 000124
2005532780.tif 000125
対立遺伝子の記号「*」は、対立遺伝子が2つの可能性のある対立遺伝子のいずれかであり得ることを示す。たとえば、*／Tは、Cypl7多型においてT／TおよびC／Tを意味する。
【０１２１】
実施例5-結論
要約すると、本発明者らは、多くの遺伝子の遺伝的多型を検査し、単独で、および組み合わせてこれらと乳癌リスクとの関係を決定した。これらの実験で予想外であった結果は、個々に考慮すると検査された遺伝子およびこれらの多型が、乳癌リスクとわずかな関連があっただけであることである。しかし、2、3、またはそれ以上を組み合わせて検査した場合は、乳癌リスクにおいて広く多様な複合した遺伝子型が同定された。この情報は、癌検診および化学防御プロトコルで最も有効であり、最も適切な適用を容易にするためのすぐれた有用性を有し、患者の結果を改善させる。
【０１２２】
本明細書において開示されかつ請求された全ての組成物および方法は、本開示を考慮して過度の実験なしで作製および実行することができる。本発明の組成物および方法は、好ましい態様に関して記載されているが、これは、本発明の概念、精神、および範囲から逸脱することなく、本組成物および方法、ならびに本明細書に記載されている方法の工程または工程の順序変化が適用されてもよいことは、当業者には明らかであろう。より詳細には、化学的および生理的に関連した特定の薬剤はいずれも本明細書に記載されている薬剤に置換されてもよく、一方で同じ結果または同種の結果が達成されるであろうことは明らかである。当業者に明らかな全てのこのような同種の置換および修飾は、添付の特許請求の範囲によって定義される本発明の精神、範囲、および概念の範囲内であるとみなされる。
【０１２３】
IX. 参照
以下の参照は、これらが本明細書に記載されるものに対する例示的な手順またはその他の詳細の補充を提供する範囲で、特に参照として本明細書に組み入れられる。
2005532780.tif 000126
2005532780.tif 000127
2005532780.tif 000128
2005532780.tif 000129
【図面の簡単な説明】
【０１２４】
以下の図面は、本明細書の一部を形成し、さらに特定の本発明の側面を示すために含まれる。本発明は、本明細書に示された特定の態様の詳細な説明と組み合わせて、これらの図面の1つまたは複数を参照することでよりよく理解されるであろう。
【図１】全ての女性の乳癌リスクの予測される実際の分布を示す。比較的まれなハイリスク群がハイリスク・カテゴリーの方へ平均リスクをゆがめるために、中央値のリスクは、平均のリスクより低い。
【図２】リスクの層別化は、全ての女性のための医学的なプロトコルの選択を方向付けることを示す。リスクに適した基準に従って、乳癌検診および化学防御プロトコルを変化し、女性に提供される。
【図１】
2005532780.tif 000132
【図２】
2005532780.tif 000133
【国際調査報告】
2005532780.tif 000134
2005532780.tif 000135
2005532780.tif 000136
2005532780.tif 000137